(57)【要約】【課題】  利便性が高いカード情報管理装置を提供する。【解決手段】  本発明は、被管理人の組織名、氏名、及びその他の情報が記載されたカードの情報を管理するカード情報管理装置に関する。そして、カードに記載された情報を撮像する手段と、撮像された情報を文字認識する手段と、認識された文字の内、組織名及び／又は氏名を抽出する手段と、抽出された組織名及び／又は氏名に基づき上記被管理人をリスト化する手段と、作成されたリストと上記撮像手段により撮像されたデータとを紐付けて記憶する手段とを有することを特徴とする。【選択図】      図８
2012008733.tif 000002
【特許請求の範囲】
【請求項１】
被管理人の組織名、氏名、及びその他の情報が記載されたカードの情報を管理するカード情報管理装置において、
カードに記載された情報を撮像する撮像手段と、
上記撮像手段により撮像された情報を文字認識するＯＣＲ手段と、
上記ＯＣＲ手段により認識された文字の内、組織名及び／又は氏名を抽出する抽出手段と、
上記抽出手段により抽出された組織名及び／又は氏名に基づき上記被管理人をリスト化するリスト化手段と、
上記リスト化手段により作成されたリストと上記撮像手段により撮像されたデータとを紐付けて記憶する撮像データ記憶手段と、
を有することを特徴とするカード管理装置。
【請求項２】
上記抽出手段は、上記カードに含まれる文字の内、電話番号やファクシミリ番号、電子メールアドレスなどの組織名及び／又は氏名以外の文字列を認識し、これらの文字列以外の文字列の中から組織名及び／又は氏名の文字列を抽出することを特徴とする請求項１に記載のカード情報管理装置。
【請求項３】
上記リスト化手段により作成されたリストから任意の被管理人を選択する選択手段と、
上記選択手段により選択された被管理人について、上記撮像データ記憶手段に記憶された撮像データを提示する撮像データ提示手段とをさらに有する
ことを特徴とする請求項１に記載のカード情報管理装置。
【請求項４】
上記撮像データ記憶手段に記憶された撮像データを、上記リスト化手段により作成されたリストに基づいて一覧表示する一覧表示手段と、
上記一覧表示手段により表示されたデータの中から選択された任意のデータについて詳細表示する詳細表示手段とをさらに有する
ことを特徴とする請求項１に記載のカード情報管理装置。
【発明の詳細な説明】
【技術分野】
【０００１】
本発明はカード情報管理装置に関し、例えば、定形サイズが定まっているカード（名刺、葉書、メモカードなど）に記載されている情報を取り込んで管理する場合に適用し得るものである。
【背景技術】
【０００２】
従来、名刺の情報を取り込んで管理する装置が種々提案されているが、その中には、名刺情報の取込みを撮像カメラやラインスキャナによる撮像で行う装置がある。特許文献１〜特許文献５にはそれぞれ、そのような装置が記載されている。
【０００３】
特許文献１には、名刺の画像情報を取得できるカメラ付き筐体折畳み形携帯電話機が記載されている。このカメラ付き筐体折畳み形携帯電話機においては、上筐体と下筐体の開閉角度をヒンジ部に設けられた開閉角度マーキングに合わせ、かつ、上筐体に回動自在に取り付けられたカメラの方向を上筐体に設けられたカメラ方向マーキングに合わせることにより、カメラを適切な焦点距離及び画角をもって下筐体の上面に置かれた名刺に正対させて撮像する。
【０００４】
特許文献２には、パソコンに装着できるＰＣカードが取り付いた撮像カメラを収容する、概ね上蓋及び下蓋でなる収容ケースが記載されている。この収容ケースの下蓋には、ＰＣカードがパソコンに装着されている撮像カメラを固定する固定部と、名刺を固定する固定部とが設けられている。そして、固定された名刺を固定された撮像カメラで撮像することにより、名刺画像をパソコンに入力させる。
【０００５】
特許文献３には、名刺の撮像モードを有するデジタルカメラが記載されている。名刺の撮像時には、常時はデジタルカメラ本体に仕舞われている４本の支柱を取り出す。そして、４本の支柱の先端で規定されている領域に名刺を置いて撮像することにより、名刺画像を得る。
【０００６】
特許文献４には、名刺の読取り機能を有する携帯電話機が記載されている。携帯電話機の左右の側面の一方には名刺を挿入するスリットが設けられ、他方には名刺を排出するスリットが設けられ、内部には、挿入用スリットから挿入された名刺を排出用スリットに移動させるローラと、移動中の名刺を読取るラインセンサとが設けられている。すなわち、挿入用スリットから排出用スリットへ連通している通路に沿って移動している名刺を、ラインセンサが繰り返し読取ることにより名刺画像を得ている。
【０００７】
特許文献５に記載の名刺情報の管理システムでは、名刺に記載された情報をＯＣＲ（Ｏｐｔｉｃａｌ  Ｃｈａｒａｃｔｅｒ  Ｒｅａｄｅｒ）処理により取り込み、ＯＣＲ処理で取り込んだ内容をユーザに提示して校正させることにより、ＯＣＲ処理による誤認識を補完している。
【先行技術文献】
【特許文献】
【０００８】
【特許文献１】特開２００５−４５３１７号公報
【特許文献２】特開平１０−１７３９６８号公報
【特許文献３】特開２０００−１０１８４号公報
【特許文献４】特開２００２−１１７９３号公報
【特許文献５】特開２００７−１８３７５４号公報
【発明の概要】
【発明が解決しようとする課題】
【０００９】
以上のようなカード情報管理装置は、撮像したデータをＯＣＲ手段によって文字認識し、認識した情報に基づいてデータを管理する（いわゆるリスト管理）。
【００１０】
しかしながら、ＯＣＲ手段は、そもそも１００％の精度は望めず、また、撮像のゆがみや台形補正などによっても読み取り精度が落ちてしまう。
【００１１】
そして、一般に、カード情報管理装置によって管理された情報に基づき相手先（被管理人）に電話したり電子メールを送信したりするが、カード情報管理装置に格納された情報が１００％正確でないと、所望の相手先と連絡をとることができない。特に重要な情報について連絡をとる場合には相手の連絡先を間違えるわけにはいかないため、間違えた情報によって被管理人を管理している可能性のある従来のカード情報管理装置は、実用に耐え得ないものと言わざるを得なかった。
【００１２】
本発明は、以上の点を考慮してなされたものであり、利便性が高いカード情報管理装置を提供しようとしたものである。
【課題を解決するための手段】
【００１３】
上記課題を解決するために、本発明に係るカード情報管理装置は、被管理人の組織名、氏名、及びその他の情報が記載された名刺やハガキなどのカードの情報を管理するもので、下記の手段を備える。
【００１４】
・カードに記載された情報を撮像する撮像手段。
【００１５】
・撮像手段により撮像された情報を文字認識するＯＣＲ手段。
【００１６】
・ＯＣＲ手段により認識された文字の内、組織名及び氏名を抽出する抽出手段。当該抽出手段は、公知の手段を採用でき、例えば組織名を抽出する場合には「株式会社」や「学校法人」「財団法人」等のキーフレーズに連続する文字列から抽出する手段を採用できる。
【００１７】
・抽出手段により抽出された組織名及び／又は氏名に基づき被管理人をリスト化するリスト化手段。
【００１８】
・リスト化手段により作成されたリストと撮像手段により撮像されたデータ（撮像データ）とを紐付けて記憶する撮像データ記憶手段。
【００１９】
すなわち、以上のカード情報管理装置は、撮像手段によりカード情報を撮像してＯＣＲ手段により文字情報とした後、会社名や学校名などの組織名と、氏名のいずれか若しくは両方を抽出し、組織名及び／又は氏名のリストを作成する。そして当該リストと撮像データ（例えば名刺を撮像した画像データ）とを紐づけて記憶・管理する。
【００２０】
電話番号や電子メールアドレスなどは、数字の羅列やアルファベットの羅列などであり、文字列に意味がなかったり規則性が薄かったりする。そのため、これらの情報は、ＯＣＲによる読み取りミスがあった場合に、利用者がミスに気づきにくく、誤った情報がリスト化されてしまう危険性が高い。このことが、従来のカード情報管理装置が実用に耐え得なかった大きな理由である。
【００２１】
一方、上記カード情報管理装置は、利用者がＯＣＲの読み取りミスに気づきにくい情報ではなく、組織名や氏名などのＯＣＲの読み取りミスに気づきやすい情報のみに基づいて情報を管理するため、極めて正確なリストを作成することができる。
【００２２】
そして、組織名や氏名以外の情報は、撮像手段により読み取ったデータによって管理しているため、ＯＣＲによる読み取りミスが生じる余地はないため、極めて正確なカード管理を実現している。
【００２３】
また、上記カード情報管理装置において、抽出手段を、電話番号やＦＡＸ番号、電子メールアドレス、ｗｅｂサイトのＵＲＬ、画像などをそれらの特徴（例えば電話番号であれば数字が羅列する文字列、ＵＲＬであればアルファベットが羅列する文字列）からこれらの文字列を判別し、これらの文字列以外の部分の文字列を採用するという手段にすることもできる。
【００２４】
すなわち、ＯＣＲされた情報の内、数字の羅列やアルファベットの羅列、「＠」の有無、「ｈｔｔｐ；／／」の有無等の特徴に基づいて氏名や組織名以外の情報を省いた中から氏名や組織名の情報を抽出するようにすれば、これらの情報を極めて精度よく抽出することが可能となる。
【００２５】
上記カード情報管理装置は、さらに、以下の手段を備えていてもよい。
【００２６】
・選択手段：リスト化手段により作成されたリストから任意の被管理人を選択する、例えば十字キーを備えた手段、タッチパネルを用いた手段。
【００２７】
・撮像データ提示手段：選択手段により選択された被管理人について、撮像データ記憶手段に記憶された撮像データを画像表示したり印刷したりして利用者に提示する手段。
【００２８】
これにより、利用者は、正確な情報を容易に取り出すことが可能となる。
【００２９】
上記カード情報管理装置は、また、以下の手段を備えていてもよい。
【００３０】
・一覧表示手段：撮像データ記憶手段に記憶された撮像データを、リスト化手段により作成されたリストに従って一覧表示する。例えば当該リストにおいて所定の組織に所属する被管理人のデータのみを画像表示したり、あいうえお順にプリントアウトしたりする。なお、一覧表示方法は公知の各種の表示方法を採用することができ、一画面・一枚の書類に対象となるデータを全て表示する方法に限定されず、例えば一画面に順次データを表示していく手法を採用することもできる。
【００３１】
・詳細表示手段：一覧表示手段により表示されたデータの中から選択された任意のデータについて詳細表示する手段。例えば、ディスプレイをタッチパネル式とし利用者に選択されたデータがあった場合に当該データを拡大表示するような手段としたり、十字キーによってデータ選択コマンドを移動させて利用者に選択されたデータがあった場合に当該データを拡大表示するような手段としたりすることができる。
【００３２】
以上の構成によっても、利用者は、正確な情報を容易に取り出すことが可能となる。
【００３３】
なお、リストからの選択と撮像データからの選択を組み合わせた選択方法も当然採用できる。例えば、リストから組織名を選択した後、画像データを一覧表示するという選択方法を採用することもできる。
【発明の効果】
【００３４】
本発明によれば、利便性が高いカード情報管理装置を提供することができる。
【図面の簡単な説明】
【００３５】
【図１】第１の実施形態に係る名刺情報取込管理装置の外観を示す斜視図である。
【図２】第１の実施形態に係る名刺情報取込管理装置の外観を示す六面図である。
【図３】第１の実施形態に係る撮像カメラ部の構成例を示す説明図である。
【図４】第１の実施形態におけるストッパ近傍の詳細を示す部分斜視図である。
【図５】第１の実施形態において保持名刺の前後方向の位置を規定すると共に、名刺を前傾して保持することとした理由の説明図である。
【図６】第１の実施形態に係る名刺情報取込管理装置の電気的構成を示すブロック図である。
【図７】第１の実施形態に係る名刺情報取込管理装置が名刺情報を取り込む際の動作をユーザの操作と共に示すシーケンス図である。
【図８】第１の実施形態に係る名刺情報データベースのデータ構造について示した説明図である。
【図９】第１の実施形態に係る名刺情報を構成する名刺画像データの例について示した説明図である。
【図１０】第１の実施形態に係る名刺情報登録処理における制御部の処理について示したフローチャートである。
【図１１】第１の実施形態に係る名刺情報取込管理装置が撮像する名刺の例について示した説明図である。
【図１２】第１の実施形態に係るディスプレイで表示する登録内容確認画面の例について示した説明図（１）である。
【図１３】第１の実施形態に係る名刺情報データベースの更新内容について示した説明図（１）である。
【図１４】第１の実施形態に係るディスプレイで表示する登録内容確認画面の例について示した説明図（２）である。
【図１５】第１の実施形態に係るディスプレイで表示する重複名刺確認画面の例について示した説明図である。
【図１６】第１の実施形態に係る名刺情報データベースの更新内容について示した説明図（２）である。
【図１７】第１の実施形態に係る名刺情報検索処理における制御部の処理について示したフローチャートである。
【図１８】第１の実施形態に係るディスプレイで表示する会社名選択画面の例について示した説明図である。
【図１９】第１の実施形態に係るディスプレイで表示する氏名選択画面の例について示した説明図である。
【図２０】第１の実施形態に係るディスプレイで表示する名刺画像表示画面の例について示した説明図である。
【図２１】第２の実施形態に係る名刺情報取込管理装置の電気的構成について示したブロック図である。
【図２２】第２の実施形態に係る名刺情報取込管理装置でバックアップデータを作成する際に、制御部が行う処理について示したフローチャートである。
【図２３】第２の実施形態に係るバックアップモード選択画面の例について示した説明図である。
【図２４】第２の実施形態に係るバックアップデータ展開処理において、制御部が行う処理について示したフローチャート（１）である。
【図２５】第２の実施形態に係るバックアップデータ展開処理において、制御部が行う処理について示したフローチャート（２）である。
【図２６】第２の実施形態に係るディスプレイで表示する展開モード選択画面について示した説明図である。
【図２７】第２の実施形態に係るバックアップデータの内容の例について示した説明図である。
【図２８】第２の実施形態に係るディスプレイで表示する部分重複名刺確認画面の例について示した説明図である。
【図２９】第２の実施形態に係る名刺情報データベースの更新内容について示した説明図である。
【発明を実施するための形態】
【００３６】
（Ａ）第１の実施形態
以下、本発明によるカード情報管理装置を、名刺情報取込管理装置に適用した第１の実施形態を、図面を参照しながら詳述する。
【００３７】
（Ａ−１）第１の実施形態の構成
（Ａ−１−１）名刺情報取込管理装置の全体構成について
以下、本発明によるカード情報取込装置を名刺情報取込管理装置に適用した一実施形態を、図面を参照しながら説明する。
【００３８】
図１は、実施形態の名刺情報取込管理装置の外観を示す斜視図であり、情報の取込み対象である名刺をセッティング（保持）している状態を示している。図２は、実施形態の名刺情報取込管理装置の外観を示す六面図である。以下では、図２の六面図での上下左右前後などに従って、「上下左右前後」、「手前、「奥」の方向に言及することとする。
【００３９】
図１及び図２において、実施形態の名刺情報取込管理装置１は、概ね、標準的な名刺サイズ（普通型４号；５５×９１ｍｍ）より一回り大きい矩形に、１ｃｍ程度の厚みを持たせた筐体形状を有する。名刺情報取込管理装置１（主に、上面）には、ディスプレイ２、キー操作部３、撮像カメラ部４、名刺保持部５などが設けられている。
【００４０】
ディスプレイ２には、例えば、白色表示時の照度を変更できる、バックライト付液晶ディスプレイやＯＬＥＤ（有機発光ダイオード）ディスプレイを適用する。ディスプレイ２の表示面２ａは、画面表示領域と、１、２行程度の属性表示用のツールバー領域とに分けられる。画面表示領域は、撮像されたり検索されたりした名刺画像が表示されたり、名刺情報を登録したり検索したりするための各種のメニュー画面やガイダンス画面など（以下、これらをまとめてメニュー画面と呼ぶ）が表示されたりするものである。このような画面表示領域の手前には、属性（例えばコントラスト）と、その属性を変化させるキーの種類との対応や、電池の残容量や、マイクロＳＤカードなどの記録媒体の装着有無などを表示する上述した属性表示用のツールバー領域が設けられている。ディスプレイ２の表示面２ａは、例えば、標準的な名刺サイズの名刺の縦横とほぼ同様な縦横比を有し、左右方向の長さを前後方向の長さより長く選定している。この表示面２ａの長手方向（左右方向）の長さは、例えば、撮像カメラ部４における焦点距離に応じて選定されている。若しくは、この表示面２ａの長手方向の長さに応じて、撮像カメラ部４における焦点距離が選定されている。ここで、撮像カメラ部４における後述する撮像カメラ３０（図３参照）がカラー用であれば、ディスプレイ２としてカラー用を適用すれば良く、撮像カメラ３０がモノクロ用であれば、ディスプレイ２としてモノクロ用を適用すれば良い。以下では、登録する名刺画像はカラー画像であってディスプレイ２としてカラー用を適用しているとして説明する。
【００４１】
キー操作部３は、ユーザが操作する各種のキーを配置したものであり、撮像カメラ部４と共に、当該名刺情報取込管理装置１の右側に設けられている。この実施形態の場合、キー操作部３は、上下左右に係る４種類の移動キー２０Ｕ、２０Ｄ、２０Ｒ、２０Ｌ、選択・決定キー２１、プラスキー２２、マイナスキー２３、メニューキー２４、バックキー２５、電源スイッチ２６及びキーロックキー２７を有している。移動キー２０Ｕ、２０Ｄ、２０Ｒ、２０Ｌ、選択・決定キー２１、プラスキー２２、マイナスキー２３、メニューキー２４及びバックキー２５は、名刺情報取込管理装置１の上面に設けられ、電源スイッチ２６及びキーロックキー２７は、名刺情報取込管理装置１の右側面に設けられている。
【００４２】
移動キー２０Ｕ、２０Ｄ、２０Ｒ、２０Ｌは、種々の機能で利用され、その機能は移動に係る機能に限定されない。移動キー２０Ｕ、２０Ｄ、２０Ｒ、２０Ｌは、例えば、メニュー画面上の各種アイコンやタブのうち、その時点で選択候補対象となっている（すなわち、フォーカスされている）アイコン又はタブを、上下左右に隣接するアイコン又はタブに切り替えることを指示する際に利用される。また、移動キー２０Ｕ、２０Ｄ、２０Ｒ、２０Ｌは、例えば、メニュー画面で表示された５０音配列を利用した検索文字列の入力動作などでは、カーソル移動キーとして利用される。さらに、例えば、名刺画像が画面表示領域に表示されている際には、左右の移動キー２０Ｒ、２０Ｌがコントラスト調整に利用され、上下の移動キー２０Ｕ、２０Ｄが明るさ調整に利用される。
【００４３】
なお、この明細書において、用語「フォーカス」はアイコン又はタブの選択に関連して用い、用語「焦点」は撮像カメラ部４に関連して用いている。
【００４４】
選択・決定キー２１は、主として、種々の項目の選択や決定に用いられる。選択・決定キー２１は、例えば、フォーカス（選択）されているアイコン、タブ、キー、フィールド、チェックボックス等のオブジェクトの選択を決定し、そのオブジェクトに割り当てられている機能を起動（実行）させる際に利用される。また、選択・決定キー２１は、文字列入力動作などではカーソルが位置している漢字候補の選択の決定など、カーソルに関連する選択、実行などに利用される。以下において、ディスプレイ２上に表示（配置）されたいずれかのオブジェクトがフォーカス（選択）された状態で、選択・決定キー２１が押下されることを、そのオブジェクトの「実行」と呼ぶものとする。
【００４５】
プラスキー２２及びマイナスキー２３は、主として、２値若しくは２種類の変化が可能な属性項目の属性変化に利用される。例えば、プラスキー２２は、ディスプレイ２に表示されている名刺画像の全体又は一部を拡大させることを指示し、マイナスキー２３は、ディスプレイ２に表示されている名刺画像の全体又は一部を縮小させることを指示するように利用される。この実施形態の場合、撮像カメラ部４として光学的なズーム機能を備えていないものを適用しており（但し、撮像カメラ部４として光学的なズーム機能やオートフォーカス機能を備えたものは本発明の他の実施形態となる）、名刺画像のズーム機能を画像処理により提供し得るようにしており、プラスキー２２及びマイナスキー２３は画像処理によるズームを指示する際に利用される。また例えば、プラスキー２２は後述する連続撮像をオンにし、マイナスキー２３は連続撮像をオフにするように利用される。
【００４６】
メニューキー２４は、新たなメニュー画面の表示（例えば、ポップアップ表示）を指示するものであり、バックキー２５は、現在表示されているメニュー画面へ遷移させた元のメニュー画面に表示を戻すことを指示するものである。その他、メニューキー２４は、処理の段階を１段階進めるために用いられ、バックキー２５は、処理の段階を１段階戻すために用いられる。
【００４７】
電源スイッチ２６は、例えば、自動復帰型のプッシュスイッチでなり、当該名刺情報取込管理装置１の電源のオン又はオフを指示するものである。
【００４８】
キーロックキー２７は、例えば、スライドにより第１又は第２の位置を取り得るものであり、第１の位置にあるときには、後述する制御部（図６参照）は、移動キー２０Ｕ、２０Ｄ、２０Ｒ、２０Ｌ、選択・決定キー２１、プラスキー２２、マイナスキー２３、メニューキー２４、バックキー２５及び電源スイッチ２６の操作を有効として扱い、第２の位置にあるときには、後述する制御部が、移動キー２０Ｕ、２０Ｄ、２０Ｒ、２０Ｌ、選択・決定キー２１、プラスキー２２、マイナスキー２３、メニューキー２４、バックキー２５及び電源スイッチ２６の操作を無効として扱う。
【００４９】
図３は、撮像カメラ部４の構成例を示す説明図であり、図３（Ａ）は当該名刺情報取込管理装置１を保管したり携帯したりする際の状態（以下、収容状態と呼ぶ）を示し、図３（Ｂ）は撮像を実行し得る状態（以下、突出状態と呼ぶ）を示している。
【００５０】
図３において、小型の撮像カメラ（例えば、ＣＭＯＳイメージセンサやＣＣＤイメージセンサでなる）３０は、対物レンズ（若しくは対物レンズ群）３１と共に、筒体（以下では、角筒体として説明する）３２に収められている。撮像カメラ３０は、静止画用、動画用のいずれであっても良いが、以下では、撮像カメラ３０が動画用であるとして説明する。
【００５１】
筒体３２における右上部には、回動軸３３が設けられており、筒体３２は、この回動軸３３を中心として回動し得るようになされている。回動軸３３は、筒体３２を貫通しているものであっても良く、また、筒体３２の手前側の側面と奥側の側面に垂設されたものであっても良い。図示は省略しているが、当該名刺情報取込管理装置１の本体側には、回動軸３３を回動自在に受け入れる軸受け部が設けられている。
【００５２】
撮像カメラ部４の収容状態から突出状態への変換時に、筒体３２に回動力を付与するばね部材３４が設けられている。ばね部材３４は、つる巻きばね、板ばねなど、いずれの形式のものであっても良い。ばね部材３４は、例えば、名刺情報取込管理装置１の外郭を構成する筐体の内部下面に一端が固定され、上方に付勢力を働かせて筒体３２をその下面から上方に移動させようとするものであるが、筒体３２の回動軸３３が軸受け部に受け入れられているため、回動軸３３を中心として筒体３２を回動させる。撮像カメラ部４の突出状態から収容状態への変化では、ばね部材３４は、筒体３２の下面で押圧させて付勢力を蓄勢する。
【００５３】
筒体３２の手前側の側面又は奥側の側面の少なくとも一方には位置規制用突起３５が固着されている。この位置規制用突起３５は、撮像カメラ部４の突出状態においては、名刺情報取込管理装置１の外郭を構成する筐体の内部上面に接してばね部材３４の付勢力に抗して、筒体３２を突出状態の所定位置に位置させる。筐体の内部には、位置規制用突起３５を係止し得る爪部材３６が設けられている。爪部材３６は、図示しない案内部などに沿って、左右方向にスライド可能なものとなっている。爪部材３６は、図１や図２に描かれているスライドレバー３７と連結されており、スライドレバー３７の移動に伴って、左右方向にスライドする。爪部材３６は、つる巻きばねなどでなるばね部材３８の一端に取り付けられており、このばね部材３８の他端は、例えば、筐体の内部右側面に取り付けられている。撮像カメラ部４の収容状態では、爪部材３６の爪３６ａが位置規制用突起３５を係止している。爪部材３６の爪３６ａの上部形状は、位置規制用突起３５が上方から下方に移動しながら接した際には、爪部材３６を左方向に移動させる力が働くような形状になっている。
【００５４】
図３では省略しているが、少なくとも、撮像カメラ部４が突出状態にあることを検知する撮像可能検知センサ（後述する図６の符号５８参照）が設けられている。このセンサとして、筒体３２が突出状態になることでアクチュエータが移動するリミットスイッチや、筒体３２が突出状態になることで光線を授受できるようになるフォトカプラなどを適用することができる。
【００５５】
図３（Ａ）に示す撮像カメラ部４の収容状態において、スライドレバー３７がユーザの指によって左方向にスライドされると、スライドレバー３７に連結されている爪部材３６も左方向に移動する。これにより、爪部材３６の爪３６ａと位置規制用突起３５との係止状態が解放され、ばね部材３４の付勢力により、回動軸３３を中心として筒体３２が時計回りに回動する。位置規制用突起３５が、筐体の内部上面に接したときに回動が終了し、筒体３２が突出状態の所定位置に位置するようになる。筒体３２の突出を確認すると、ユーザはスライドレバー３７から指を離す。このとき、ばね部材３８の引っ張り力により、爪部材３６が右方向に移動するが、このときには、位置規制用突起３５は筐体の内部上面に接しているので、爪部材３６の爪３６ａと係止することはない。
【００５６】
図３（Ｂ）に示す撮像カメラ部４の突出状態において、ユーザが筒体３２の上面を押圧すると、回動軸３３を中心として筒体３２が反時計回りに回動していく。この回動により、位置規制用突起３５が下方に移動して爪部材３６の爪３６ａの上部に接触するようになると、上部面がカム面として機能して爪部材３６を左方向に移動させながら、位置規制用突起３５はさらに下降する。この下降によって、位置規制用突起３５が爪部材３６の爪３６ａより低い位置になると、ばね部材３８の引っ張り力により、爪部材３６が右方向に移動し、爪部材３６の爪３６ａが位置規制用突起３５と係止する。このような係止状態になると、ユーザが筐体３２の上面への押圧を止めても、係止状態、すなわち、収容状態を継続させる。
【００５７】
名刺保持部５は、撮像カメラ部４による撮像対象の名刺を保持する部分であり、ディスプレイ２を挟んで、撮像カメラ部４の反対側に設けられている。今日では、名刺の大半が横書きであり、ディスプレイ２の表示面２ａの形状は、横書きの名刺画像が見易くなることを考慮して選定されている。一方、撮像カメラ部４における焦点距離が短い場合、撮像された名刺画像の品質が低下し易いので（例えば、歪曲ひずみ）、撮像カメラ部４及び名刺保持部５を、ディスプレイ２の表示面２ａの長手方向に沿って、ディスプレイ２の表示面２ａを挟むように配置させている。
【００５８】
名刺保持部５は、図１に示す固定壁面４１と可動壁面部材４２の可動壁面４２ａとで、名刺６の一方の長辺近傍を挟み込むことによって名刺６を保持する。固定壁面４１の方が可動壁面部材４２の可動壁面４２ａよりディスプレイ２に寄っている。可動壁面部材４２は、左右方向にスライド可能なものである。左方向への移動は、名刺情報取込管理装置１の外郭を構成する筐体内部に設けられたばね部材（図示せず）の右方向への付勢力を超えた外力の印加により可能であり、外力が解放された際の右方向への移動は、図示しないばね部材の右方向への付勢力による。上述した付勢力が印加されている挟み込みによる保持方式により、厚みが一様でない多種多様な名刺を保持することが可能となり、また、厚みが薄いなど単独では姿勢を維持することができない名刺を取り付けた台紙を保持することが可能となる。さらに、名刺を挟み込んだ幅が後述するように狭くても（例えば、１．５ｍｍ程度）、安定した名刺の保持が可能となる。
【００５９】
上述した台紙として、例えば、背景紙と透明表紙とを１辺で連結し、これらの間に名刺を挟み込むものを適用できる。台紙は、薄い名刺に対応できるだけでなく、透けて撮像品質を低下させる名刺にも背景紙の色選定により対応できるものであり、外形が矩形でないため立設し難い名刺にも対応できるものである。
【００６０】
上述とは異なり、ディスプレイ２寄りに可動壁面を設け、ディスプレイ２の遠くに固定壁面を設けるようにしても良く、両壁面共に可動壁面とするようにしても良い。但し、このようにした場合、僅かではあるが、名刺の厚みによって、名刺表面と撮像カメラ部４との距離が変化するので、名刺表面と撮像カメラ部４との距離が変化しない、固定壁面４１の方をディスプレイ２寄りにした上述した配置の方が好ましい。
【００６１】
この実施形態では、登録対象の名刺６を横置きで立設するものを示したが、縦置きで立設させることを基本として装置を構成しても良いことは勿論である。また、横置きで立設させる場合において、下辺の全部分を挟むように、名刺情報取込管理装置１の前後方向の長さが選定されていても良い。
【００６２】
この実施形態の場合、突出状態での撮像カメラ部４の仰角（撮像カメラ部４の光軸と名刺情報取込管理装置１の上面とのなす角）を抑えるため、名刺６の長辺側を挟み込む側の辺としている。上述したように、名刺情報取込管理装置１の前後方向の長さを規定するディスプレイ２の前後方向の長さは、標準的な名刺サイズの名刺の短辺側の長さに近い長さである。そのため、仮に、標準的な名刺サイズの名刺を保持しようとする場合、挟み込まれる辺であってもその辺の一部は挟み込まれない。このような挟み込まれない部分をユーザに委ねた場合、ユーザによって、また、同じユーザであっても時期によって、挟み込み方が変化し、撮像品質が低下することをあり得る。
【００６３】
そこで、この実施形態の場合、名刺情報取込管理装置１の外郭を構成する筐体の奥側の側面近傍に、名刺６の奥側の辺を当接させるストッパ４３を設けることとし、仮に、標準的な名刺サイズの名刺を挟持する場合には、図１に示すように、挟み込まれる辺の手前側が挟み込まれない部分になるようにしている。
【００６４】
固定壁面４１と、可動壁面部材４２の可動壁面４２ａとは平行面であるが、これらの固定壁面４１と可動壁面４２ａとは、名刺６を、撮像カメラ部４側に前傾させて保持するように平行面が選定されている。ここで、可動壁面部材４２の可動壁面４２ａの高さを固定壁面４１の高さより高くしている。これは、第１に、仮に保持されている名刺６の上端に逆方向の力が働いてもその力が解放されたときに所定の前傾に復帰し易くするためであり、第２に、挟み込まれて撮像カメラ部４側から見えなくなっている名刺部分を極力少なくするためである。固定壁面４１の幅、言い換えると、固定壁面４１によって見えなくなる部分の幅を例えば１．５ｍｍ程度に選定し、可動壁面４２ａの幅を例えば２．５ｍｍ程度に選定する。名刺の大半は、文字列のレイアウトを考慮して端に近い文字でも、端から１．５ｍｍ以上離れて位置されている。このような現実を考慮し、固定壁面４１の幅を定めている。
【００６５】
図４は、ストッパ４３近傍の詳細を示す部分斜視図である。図４は、固定壁面４１と可動壁面４２ａとが最大限離間した状態を示している。
【００６６】
ストッパ４３は、可動壁面４２ａに向かって固定壁面４１から突出している板状凸部４３ａと、この板状凸部４３ａと係合する、可動壁面４２ａから可動壁面部材４２の内方に向かっている凹部４３ｂとを有する。板状凸部４３ａの上面は、例えば、名刺情報取込管理装置１におけるディスプレイ２が設けられている側の上面と連続している。以上のような板状凸部４３ａ及び凹部４３ｂでストッパ４３を構成することにより、種々の厚みの名刺６や、名刺を保持した台紙の奥側の辺縁が確実に当接し、名刺６や台紙を前後方向に確実に位置決めすることができる。可動壁面部材４２の可動壁面４２ａの高さを固定壁面４１の高さより高くしていることにより、上述したストッパ４３の構造を適用することが可能となっている。
【００６７】
固定壁面４１と可動壁面４２ａとが接触している状態においても、名刺６や台紙の縁部の停止位置をユーザが認識し得るように、板状凸部４３ａの延長上の、ディスプレイ２が設けられている側の上面には小さな半球状のマーカ４４が設けられている。
【００６８】
図４とは逆に、可動壁面４２ａに板状凸部４３ａを設け、固定壁面４１に凹部４３ｂを設けるようにしても良い。また、板状凸部４３ａとして機能する部材として、１本又は複数本の棒部材を適用することもできる。但し、固定壁面４１の幅（高さ）は１．５ｍｍ程度であり、このような固定壁面４１に設ける棒状部材はかなり細くなり、信頼性が低いので、実施形態のように板状部材を適用することが好ましい。
【００６９】
図５は、保持名刺６の前後方向の位置を規定すると共に、名刺６を前傾して保持することとした理由の説明図である。
【００７０】
図５において、１点鎖線ＡＸは撮像カメラ部４の光軸を表している。名刺６の前傾角度は、撮像カメラ部４の光軸ＡＸが名刺６に直角に交わるように選定されている。また、撮像カメラ部４の前後方向の位置は、光軸ＡＸが名刺６に交わる点Ｐが名刺６の前後方向（長手方向）の長さＡを２分する線上にあるように選定されている。さらに、撮像カメラ部４の突出状態での仰角は、光軸ＡＸが名刺６に交わる点が名刺６の上下方向（短手方向）の長さ（若しくはそれより保持のために挟み込まれている長さを減じた長さ）Ｂを２分する線上にあるように選定されている。
【００７１】
撮像カメラ部４の焦点距離（対物レンズ３１の焦点距離）は、保持されている名刺６の画像が撮像カメラ３０の受光面上に結像するように選定されている。
【００７２】
図１及び図２において、後述する名刺情報データベースを構成する記録媒体（例えば、マイクロＳＤカード）を着脱する際の蓋部７や電源のオンオフ状態などを示すインジケータ（例えば、ＬＥＤ素子でなる）８なども、名刺情報取込管理装置１の外部から見える位置に設けられている。
【００７３】
図６は、実施形態の名刺情報取込管理装置１の電気的構成を示すブロック図であり、既述した図面との同一、対応部分には同一符号を付して示している。
【００７４】
図６において、ＣＰＵを中心に構成されている制御部５０には、システムバス（図示せず）を介してプログラムメモリ５１、ワークメモリ５２、入出力インタフェース５３が接続されている。入出力インタフェース５３には、上述したディスプレイ２を駆動するディスプレイドライバ５４、上述した撮像カメラ３０を駆動するカメラドライバ５５、上述したキー操作部３、上述したインジケータ８を駆動するＬＥＤドライバ５６、名刺情報データベース５７、各種センサ５８が接続されている。
【００７５】
プログラムメモリ５１は、例えば、１又は複数個のＲＯＭチップでなり、プログラムメモリ５１には、各種の処理プログラム（名刺情報取込管理プログラムを含む）や、処理プログラムが利用する固定データが格納されている。名刺情報取込管理プログラムには、例えば、撮影された名刺の情報を登録するプログラム（後述する図１０参照）や、登録されている名刺情報の中から、ユーザに所望の名刺情報を検出させるプログラム（後述する図１７）が含まれている。また、プログラムメモリ５１には、例えば、表示するガイダンスやメッセージのデータや、ツールバーに表示するアイコンデータや、文字入力モードで文字を選択させる５０音の一覧表示用データなどの固定データが格納されている。
【００７６】
ワークメモリ５２は、１又は複数個のＲＡＭチップやフラッシュメモリチップなどでなり、制御部５０がプログラムメモリ５１に格納されているいずれかの処理プログラムを実行する際に作業エリアとして用いるものであり、また、ユーザ入力に係る固定データ等も格納するものである。ワークメモリ５２には、ディスプレイ２に表示させる表示画像を格納する表示バッファや、撮像カメラ３０による撮像画像をバッファリングする撮像画像バッファや、検索時のキーワードを格納するキーワードバッファや、検索時に名刺情報データベース５７から取り出した名刺情報を格納する検索情報バッファなどが、実行する処理プログラムなどによって適宜設定される。
【００７７】
名刺情報データベース５７は、例えば、マイクロＳＤカードを着脱可能であってマイクロＳＤカードの装着時にマイクロＳＤカードをアクセスできるカードアダプタ部と、マイクロＳＤカードとでなる。名刺情報データベース５７としてＨＤＤ（ハードディスクドライブ装置）を適用しても良いが、マイクロＳＤカード用のカードアダプタ部と、マイクロＳＤカードとで名刺情報データベース５７を構成した方が、当該名刺情報取込管理装置１を小形、薄型にできて好ましい。また、マイクロＳＤカードを適用することにより、名刺情報データベース５７の容量をユーザが選択したり変更したりすることができる。なお、記録媒体はマイクロＳＤカードに限定されず、また、着脱できずに装置に固定的に設けられているものであっても良い。名刺情報データベース５７の１レコードは、例えば、登録日時と、名刺における法人名などの組織名（部署などの下位の組織名部分を含めるか否かは任意とする。）と、その組織名の読みと、名刺における氏名と、その氏名の読みと、少なくとも表面の名刺画像（例えば、裏面の名刺画像を登録情報に含めるか否かを任意事項とする）とでなっている。なお、名刺情報データベース５７の詳細構成については後述する。
【００７８】
名刺情報データベース５７に格納する情報として、部署、電話番号、ＦＡＸ番号、ｅメールアドレス、ＵＲＬ等を含めないようにしたのは、第１に、これらの文字は比較的小さな文字サイズの文字で記載されているため、ＯＣＲでの認識精度が低くなり易いためであり（特に、数字が他の数字に誤認識された場合、表示されても誤認識されたことをユーザが気付かないことが多い）、第２に、データベース容量の有効利用のためであり、第３に、必要ならば名刺画像そのものから確認できるためである。
【００７９】
制御部５０に検知信号を与える各種センサ５８としては、例えば、撮像カメラ部４が突出状態にあるか収容状態にあるかを検出する撮像可能検知センサを挙げることができる。なお、マイクロＳＤカードの装着有無は、例えば、マイクロＳＤカード用のカードアダプタ部が判断しているが、装着有無を検知する専用のセンサを設けるようにしても良い。
【００８０】
制御部５０は、キー操作部３や各種センサ５８からの入力信号やそのときの処理段階に応じて定まるプログラムメモリ５１内の処理プログラムを、ワークメモリ５２を利用しながら、また、必要ならばプログラムメモリ５１やワークメモリ５２に格納されている固定データを適宜用いて処理するものであり、その処理状況や処理結果等をディスプレイ２に表示させたり、名刺情報データベース５７をアクセスしたりするものである。なお、制御部５０には日時などを計時するタイマも設けられている。
【００８１】
（Ａ−１−２）名刺情報データベースの構造について
次に、名刺情報データベース５７の構造について説明する。
【００８２】
図８は、名刺情報データベース５７のデータ構造例について示した説明図である。
【００８３】
名刺情報データベース５７には、名刺に記載された情報に基づく名刺情報が１又は複数格納されている。
【００８４】
図８に示すように、名刺情報データベース５７には、各名刺情報について、会社名、会社名読み、氏名、氏名読み、名刺画像データ、登録日時の項目の情報が格納されている。また、図８では、名刺情報データベース５７の内容を、１行で１つの名刺情報を表すテーブル形式で図示しており、５つの名刺情報Ｌ１０１〜Ｌ１０５が表されている。
【００８５】
「会社名」は、当該名刺情報が示す人物の組織名を示す項目である。
【００８６】
「会社名読み」は、当該名刺情報の「会社名」に対応する読みを示す項目である。
【００８７】
「氏名」は、当該名刺情報が示す人物の氏名を示す項目である。なお「氏名」の項目に登録される情報は、当該名刺情報が示す人物の氏名の一部（例えば、「氏」（ラストネーム）又は「名」（ファーストネーム）の一方だけ）であっても良い。この明細書において、氏名の一部だけを抜き出したものについても「氏名」と呼ぶものとする。
【００８８】
「氏名読み」は、当該名刺情報の「氏名」に対応する読みを示す項目である。
【００８９】
「名刺画像データ」は、当該名刺情報が示す人物の名刺の画像データ、すなわち、当該名刺情報の元となる名刺の画像データを示す項目である。
【００９０】
図９は、名刺情報を構成する名刺画像データの例について示した説明図である。
【００９１】
図８では、説明を簡易にするため、例えば、名刺情報Ｌ１０１の名刺画像データの項目に、「名刺画像データＧ１１」と図示しているが、実際には、図９に示すような「画像データＧ１１」に対応する画像データが格納されているものとする。
【００９２】
図９では、名刺画像データの項目には、名刺画像データを直接格納する例について示したが、名刺画像データの項目に、名刺画像データにアクセスするための情報（例えば、名刺画像データを格納したファイル名やリンク先の情報）のみを格納し、名刺画像データの実体は別のファイルに格納するようにしても良い。このように、名刺情報データベース５７において、名刺画像データを格納する形式については限定されないものである。
【００９３】
「登録日時」は、当該名刺情報を登録した日時を示す情報（タイムスタンプ）である。
【００９４】
図８に示すように、名刺情報データベース５７では、少なくとも、名刺に記載された会社名及び氏名を、ユーザが名刺情報を検索する際のキー情報として格納し、キー情報以外の情報（例えば、部署、電話番号、ＦＡＸ番号、ｅメールアドレス、ＵＲＬ等）については、名刺画像データとして格納している。言い換えると、名刺情報データベース５７では、キー情報がリスト化されており、そのリスト上のキー情報のそれぞれに、少なくとも名刺画像データが紐付けられた構造になっている。
【００９５】
したがって、名刺情報取込管理装置１では、ユーザは、名刺情報データベース５７に文字情報として登録されていない情報については、名刺画像データにより確認することができる。例えば、ユーザが、名刺情報データベース５７に登録された名刺情報が示す人物について、電話番号の情報を確認したい場合には、名刺情報取込管理装置１を操作して、会社名及び氏名を手がかりに、所望の名刺情報を選択し、その名刺情報の名刺画像をディスプレイ２に表示させる。
【００９６】
名刺情報取込管理装置１は、ユーザの操作に応じて撮像カメラ３０で撮像した名刺画像について、名刺情報として名刺情報データベース５７に登録する際には、撮像した名刺画像データから、少なくとも会社名（組織名）及び氏名について、読取り処理を行う。そして、名刺情報取込管理装置１では、撮像した名刺画像データ及び、読取った情報に基づいて名刺情報データベース５７の各項目の情報が登録される。
【００９７】
名刺情報取込管理装置１では、ユーザの操作に応じて、名刺情報データベース５７の各名刺情報を分類して保存する。ここでは、例として、ユーザがよく閲覧する名刺情報を、ユーザの操作に応じて、名刺情報データベース５７で「活用名刺」として分類して登録し、ユーザがあまり閲覧しない名刺情報を、ユーザの操作に応じて名刺情報データベース５７で「倉庫名刺」として分類して登録するものとする。さらに、名刺情報取込管理装置１では、名刺情報データベース５７上でユーザが任意に作成したフォルダ（以下、「マイフォルダ」という）に分類して名刺情報を登録することができるものとする。
【００９８】
図８では、名刺情報データベース５７に格納される情報の項目に、キー情報以外の項目として、「会社名読み」、「氏名読み」、及び「登録日時」を含めているが、これらの一部又は全部を省略するようにしても良い。また、図８に記載されている情報以外の項目について追加するようにしても良い。例えば、名刺情報データベース５７に格納される情報の項目に、ユーザが任意の内容を入力することができる「メモ欄」等を設けるようにしても良い。
【００９９】
また、図８では、名刺画像データの項目に登録される名刺画像データは、一つだけであるが、複数登録するようにしても良い。例えば、名刺の表面と裏面の名刺画像データを登録する場合には、２つの名刺画像データを登録するようにしても良い。
【０１００】
（Ａ−２）第１の実施形態の動作
次に、以上のような構成を有する第１の実施形態の名刺情報取込管理装置１の動作を説明する。
【０１０１】
（Ａ−２−１）名刺情報登録処理
まず、第１の実施形態の名刺情報取込管理装置１が名刺情報を取り込む際の動作をユーザの操作と共に、図７のシーケンス図をも参照しながら説明する。以下では、名刺情報取込管理装置１の電源がオフで、撮像カメラ部４が収容状態にあり、かつ、マイクロＳＤカードが装着されている状態からの動作を説明する。
【０１０２】
ユーザは、新たな名刺を入手し、その名刺情報を登録したくなった場合には、電源スイッチ２６をオン操作し、名刺情報取込管理装置１の電源をオンとする（Ｓ１）。
【０１０３】
これにより、名刺情報取込管理装置１の制御部５０は電源オン時の処理プログラムを実行する（Ｓ２）。撮像カメラ部４が収容状態にあり、かつ、マイクロＳＤカードが装着されているので、制御部５０は、例えば、名刺情報を登録する場合には名刺を所定位置にセッティングさせて撮像カメラ部４を突出状態に変化させること、既に登録済の名刺情報を検索する場合には所定のキーを操作することを求めるメニュー画面をディスプレイ２に表示させる。なお、電源オン時にマイクロＳＤカードが装着されていない場合には、当初の表示内容は、マイクロＳＤカードの装着を促すものとなる。また、電源オン時点で既に撮像カメラ部４が突出状態にあれば、制御部５０は、名刺情報の登録モードが選択されたとして扱う。また、ユーザは、後述するようにして登録対象の名刺を撮像カメラ部４の読取位置に位置決めした後に、電源スイッチ２６をオン操作するようにしても良い。
【０１０４】
名刺情報を登録する場合には名刺を所定位置にセッティングさせて撮像カメラ部４を突出状態に変化させること、既に登録済の名刺情報を検索する場合には所定のキーを操作することを求めるメニュー画面が表示されたとき、ユーザは、名刺情報の登録を望んでいるので、登録対象の名刺６の所定位置へのセッティングと、撮像カメラ部４の突出状態への変化操作とを行う（Ｓ３）。名刺６の所定位置へのセッティングと、撮像カメラ部４の突出状態への変化操作とはいずれを先に行っても良いものである。
【０１０５】
例えば、一方の手で可動壁面部材４２を左方に移動させて可動壁面４２ａと固定壁面４１とを開いて隙間を作り、その状態で、他方の手で、登録対象の名刺６の一辺を隙間の底部に当接させ、その状態でストッパ４３に当たるまで名刺６を後方に移動させ、ストッパ４３に当たったときに、可動壁面部材４２から一方の手を離し、可動壁面部材４２をホームポジションに復帰させるように移動させ、これにより、可動壁面４２ａと固定壁面４１とで、登録対象の名刺６の下辺を部分的に挟み込んで、名刺６を所定位置へセッティングする。ユーザは、薄い名刺や、背景が透けている名刺や、標準的な名刺サイズより小さい名刺などについては、適宜、台紙に取り付けた上で名刺情報取込管理装置１にセッティングする。なお、縦書き名刺も、横書き名刺と同様に、長辺が上下に平行になるように横置きでセッティングさせる。この際、縦書きでの上側の位置を横置でどちらのサイドに向けるかを、所定位置へのセッティングを求める表示画像でユーザに通知する。例えば、縦書きでの上側の位置が、撮像カメラ部４から見て左側に位置するように横置きにセッティングさせる。縦書き名刺での横置きでの向きを１種類とすることにより、ＯＣＲ機能による処理を簡単なものとすることができる。すなわち、縦書きでの上側の位置が、撮像カメラ部４から見て左側に位置しているのか、右側に位置しているのかをＯＣＲ時に判別することが不要となる。
【０１０６】
撮像カメラ部４を突出状態へ変化させるには、一方の手の指によって、上述したようにスライドレバー３７を左方に移動させた後、指を離せば良い。
【０１０７】
撮像カメラ部４を突出状態へ変化させることを、この実施形態の場合、その直前の動作モードを問わず、名刺情報の登録モードに移行させたことを意味するようにしている。
【０１０８】
制御部５０は、撮像可能検知センサからの検知信号により撮像カメラ部４が突出状態へ変化したことを認識すると、撮像カメラ３０を起動し、撮像カメラ３０が得た動画の撮像画像を登録候補画像としてディスプレイ２に表示させる（Ｓ４）。このような登録候補画像の表示では、手前側のツールバー領域に、プラスキー２２又はマイナスキー２３の操作によって画像を拡大／縮小できることや、左移動キー２０Ｌ又は右移動キー２０Ｒの操作によって画像のコントラストを変化（高低）できることも表示する。ユーザは、適宜、電話番号やｅメールアドレスやＵＲＬなどが小さくても拡大した場合に十分に認識できることを確認したり、文字部分と背景部分とのコントラストを調整したりする。ここで、表示している名刺画像を前後左右に移動できる機能をも持たせるようにしても良い。
【０１０９】
表示されている登録候補画像を登録画像として決定したユーザは、選択・決定キー２１を操作する（Ｓ５）。
【０１１０】
このとき、制御部５０は、撮像カメラ３０に静止画撮像を実行させ、得られた名刺画像を表示させ、その後、所定時間だけ経過してから、この名刺画像を使用するか否かをユーザに問い合わせる（Ｓ６）。この際の静止画撮像では、制御部５０は、ディスプレイ２の表示面２ａの全面を最大照度にして白色表示させ、そのようなディスプレイ２の白色表示で照明された名刺６を撮像カメラ３０で撮像させる。全面を白色表示させることにより、例えば、太陽光や室内光がセッティングされている名刺６の裏面から表面へ向かっていて、薄い名刺などの名刺６を透過するいわゆる逆光状態になっていても、その逆光状態を緩和して高品質の名刺画像を取り込むことができるようになり、また、太陽光や室内光による照明では不十分な場合にも高品質の名刺画像を取り込むことができるようになる。
【０１１１】
ユーザが、静止画撮像された名刺画像の使用を求めると（Ｓ７）、制御部５０は、その名刺画像に対するＯＣＲを実施し、組織名及び氏名の文字列を得るとともに、組織名及び氏名の読みを決定し、組織名及び氏名の文字列、組織名及び氏名の読み、並びに、名刺画像のサムネイルを含む確認画像をディスプレイ２に表示させる（Ｓ８）。
【０１１２】
表示された確認画像に納得したユーザは、最終的に登録を指示し（Ｓ９）、制御部５０は、名刺情報データベース５７に今回の名刺情報を格納した後、登録した旨のメッセージを所定時間だけ表示し、その後、静止画撮像の前の表示画面に戻る（Ｓ１０）。
【０１１３】
以上では、登録まで最短コースの流れを示したが、バックキーの操作によって、直前の処理段階に戻すこともでき、また、登録へ向かう選択を否定することによっても直前の処理段階に戻すこともできる。さらに、組織名、氏名や、その読みを修正させるようなことも可能である。
【０１１４】
次に、名刺情報取込管理装置１において、撮像された名刺画像に基づく名刺情報を、名刺情報データベース５７に登録する「名刺情報登録処理」の動作（上述のステップＳ８及びステップＳ９に相当する動作）の詳細について説明する。
【０１１５】
図１０は、名刺情報登録処理における制御部５０の処理について示したフローチャートである。
【０１１６】
なお、ここでは、名刺情報データベース５７の初期内容が、図８の内容になっているものとして以降の説明を行う。
【０１１７】
まず、名刺情報取込管理装置１では、上述のステップＳ１〜ステップＳ７の動作により、撮像カメラ３０により、新規登録用の名刺の名刺画像が撮像されたものとする（Ｓ１０１）。
【０１１８】
図１１は、名刺情報取込管理装置１が撮像する名刺の例について示した説明図である。
【０１１９】
名刺情報取込管理装置１では、新規登録用の名刺の会社名及び氏名と一致する名刺情報（以下、「重複名刺情報」という）が、名刺情報データベース５７に登録されている場合と、登録されていない場合とで処理が異なる。そのため、ここでは、既に名刺情報データベース５７に登録されている名刺情報と、会社名及び氏名が一致する名刺（図１１（ａ）に示す名刺）について登録する場合と、名刺情報データベース５７に会社名及び氏名が一致する名刺情報が無い名刺（図１１（ｂ）に示す名刺）について登録する場合とに分けて説明を行う。ここでは、まず、上述のステップＳ１０１で、図１１（ａ）に示す名刺が撮像された場合の処理について説明し、その後、図１１（ｂ）に示す名刺が撮像された場合の処理について説明する。
【０１２０】
上述のステップＳ１０１で、図１１（ａ）の名刺の名刺画像が撮像されると、制御部５０は、その名刺画像から文字認識を行い、会社名（組織名）及び氏名を認識する（Ｓ１０２）。
【０１２１】
ステップＳ１０２において、制御部５０が名刺画像から会社名（組織名）及び氏名を認識する処理については、例えば、既存のＯＣＲ処理等を適用することができる。制御部５０が名刺画像から会社名（組織名）及び氏名を認識する処理としては、例えば、組織の種類を示すキーフレーズに連続する文字列から抽出するようにしても良い。組織の種類を示す部分の表記としては、例えば、株式会社、有限会社、合名会社、合資会社、ＮＰＯ法人、社団法人、財団法人、医療法人、学校法人、管理組合法人、社会福祉法人、宗教法人などがある。
【０１２２】
また、制御部５０が名刺画像から会社名（組織名）及び氏名を認識する処理としては、例えば、電話番号やＦＡＸ番号、電子メールアドレス、ｗｅｂサイトのＵＲＬ、画像などをそれらの特徴（例えば電話番号であれば数字が羅列する文字列、ＵＲＬであればアルファベットが羅列する文字列）からこれらの文字列を判別し、これらの文字列以外の部分の文字列を会社名及び氏名を認識するようにしても良い。すなわち、制御部５０が名刺画像からからＯＣＲした情報の内、数字の羅列やアルファベットの羅列、「＠」の有無、「ｈｔｔｐ；／／」の有無等の特徴に基づいて氏名や組織名以外の情報を省いた中から氏名や組織名の情報を抽出するようにすれば、これらの情報を極めて精度よく抽出することが可能となる。
【０１２３】
次に、制御部５０は、認識した会社名、氏名等を表示し、登録する名刺情報の内容を、ユーザに確認及び修正させる「登録内容確認画面」を、ディスプレイ２に表示させる（Ｓ１０３）。
【０１２４】
図１２は、図１１（ａ）に示す名刺に基づく名刺情報を登録する際の、登録内容確認画面の例について示した説明図である。
【０１２５】
登録内容確認画面には、図１２に示すように、撮像した名刺画像を表示するフィールドＦ１０１、氏名を表示するフィールドＦ１０２、氏名読みを表示するフィールドＦ１０３、会社名を表示するフィールドＦ１０４、及び会社名読みを表示するフィールドＦ１０５が配置されている。
【０１２６】
氏名を表示するフィールドＦ１０２には、ステップＳ１０２で認識された氏名が表示される。
【０１２７】
会社名を表示するフィールドＦ１０４には、ステップＳ１０２で認識された会社名（組織名）に基づく内容が表示される。また、フィールドＦ１０４には、ステップＳ１０２で認識された会社名（組織名）の内容から、組織の種類を示す部分については省略するものとする。例えば、図１１（ａ）に示す名刺に記載された会社名（組織名）は、「井○企画株式会社」となっているが、図１２でフィールドＦ１０４に表示されている内容は「井○企画」となっている。
【０１２８】
フィールドＦ１０３、Ｆ１０５には、それぞれ、フィールドＦ１０２、Ｆ１０４に対応する読みが表示されるが、最初に表示される内容は、例えば、制御部５０がフィールドＦ１０２、Ｆ１０４の内容から推定した内容としても良い。制御部５０がフィールドＦ１０２、Ｆ１０４の内容の読みを推定する処理については、例えば、既存の仮名漢字変換の逆変換処理（漢字等を仮名に変換する処理）を適用するようにしても良い。
【０１２９】
登録内容確認画面では、フィールドＦ１０２〜Ｆ１０５のいずれかのフィールドが、ユーザの操作により実行（フォーカス及び選択・決定キー２１の押下）されると、制御部５０は、例えば、ソフトウェアキーボード等を、ディスプレイ２に表示させ、当該フィールドの内容をユーザに編集させる。そして、ユーザの操作により「登録」と表示されたキーＫ１０１が実行されると、制御部５０は、次のステップＳ１０４の処理に進む。ここでは、図１２の内容で、ユーザの操作によりキーＫ１０１が実行されたものとして、以降の説明を行う。
【０１３０】
登録内容確認画面でキーＫ１０１が実行されると、制御部５０は、名刺情報データベース５７に登録された名刺情報から、フィールドＦ１０４に表示された会社名、及び、フィールドＦ１０２に表示された氏名と一致する名刺情報重複名刺情報を検索する（Ｓ１０５）。ステップＳ１０５において、制御部５０により、名刺情報データベース５７から重複名刺情報が検出されなかった場合には、後述するステップＳ１０６の処理に進み、重複名刺情報が検出された場合には後述するステップＳ１０７の処理に進む。
【０１３１】
ここでは、フィールドＦ１０４に表示された会社名は「井○企画」、フィールドＦ１０２に表示された氏名は「高橋  ×夫」であり（図１２）、名刺情報データベース５７に登録された名刺情報（図８）には、会社名及び氏名が一致するものは無い。したがって、この場合、上述のステップＳ１０５では、制御部５０により、名刺情報データベース５７から重複名刺情報が検出されない。
【０１３２】
ステップＳ１０５において、重複名刺情報が検出されなかったと判定された場合には、制御部５０は、登録内容確認画面で確認したフィールドＦ１０１〜Ｆ１０５の内容の名刺情報を、名刺情報データベース５７に追加登録して（Ｓ１０６）、名刺情報登録処理を終了する。
【０１３３】
図１３は、名刺情報データベース５７に、新たな名刺情報が追加登録された様子について示した説明図である。
【０１３４】
図１３では、名刺情報データベース５７に、上述の図８の内容に加えて、上述の図１２の内容の名刺情報Ｌ１０６が追加登録されている。
【０１３５】
次に、上述のステップＳ１０１で撮像された新規登録用の名刺の会社名及び氏名が、既に名刺情報データベース５７に登録されている名刺情報と一致する場合の制御部５０の処理について説明する。ここでは、上述のステップＳ１０１で、図１１（ｂ）に示す新規登録用の名刺が撮像されたものとして以降の説明を行う。
【０１３６】
制御部５０は、上述のステップＳ１０１で撮像された図１１（ｂ）の名刺画像から、上述のステップＳ１０２により会社名及び氏名を認識し、上述のステップＳ１０３により「登録内容確認画面」を、ディスプレイ２に表示させる。
【０１３７】
図１４は、図１１（ｂ）の名刺画像から認識した内容に基づいた登録内容確認画面について示した説明図である。そして、ここでは、図１４の内容で、ユーザの操作によりキーＫ１０１が実行されたものとして、以降の説明を行う。
【０１３８】
登録内容確認画面でキーＫ１０１が実行されると、制御部５０は、上述のステップＳ１０５により名刺情報データベース５７における重複名刺情報の有無を判定する。ここでは、フィールドＦ１０４に表示された会社名は「井○企画」、フィールドＦ１０２に表示された氏名は「山田  ○郎」であり、名刺情報データベース５７に登録された名刺情報（図８）のうち、名刺情報Ｌ１０１が、重複名刺情報として検出される。したがって、この場合、上述のステップＳ１０５では、制御部５０により、名刺情報データベース５７から重複名刺情報が検出されたと判定される。
【０１３９】
上述のステップＳ１０５において、重複名刺情報が検出されたと判定された場合には、制御部５０は、ユーザに、登録内容確認画面で確認した名刺情報、及び重複名刺情報に関する処理を選択させる「重複名刺確認画面」をディスプレイ２に表示させる（Ｓ１０７）。
【０１４０】
図１５は、重複名刺確認画面の例について示した説明図である。
【０１４１】
図１５に示す重複名刺確認画面では、名刺情報データベース５７に登録された重複名刺情報の名刺画像を表示するフィールドＦ２０１、上述のステップＳ１０１で撮像した名刺画像を表示するフィールドＦ２０２、「上書き」と表示されたキーＫ２０１、「別で追加」と表示されたキーＫ２０２、「画像差替」と表示されたキーＫ２０３、及び「スキップ」と表示されたキーＫ２０４が配置されている。
【０１４２】
次に、制御部５０は、重複名刺確認画面で、ユーザの操作により実行（選択）されたキーを判定する（Ｓ１０８）。そして、制御部５０は、重複名刺確認画面で実行されたキーに応じて、登録内容確認画面で確認した情報、及び重複名刺情報に関する処理内容を決定し、後述するステップＳ１０９〜Ｓ１１２のいずれかの処理を行って、名刺情報登録処理を終了する。
【０１４３】
重複名刺確認画面で、「別で追加」と表示されたキーＫ２０２が実行された場合には、制御部５０は、登録内容確認画面で確認したフィールドＦ１０１〜Ｆ１０５の内容の名刺情報を、名刺情報データベース５７に追加登録する（Ｓ１０９）。
【０１４４】
重複名刺確認画面で、「上書き」と表示されたキーＫ２０１が実行された場合には、制御部５０は、登録内容確認画面で確認したフィールドＦ１０１〜Ｆ１０５の内容の名刺情報を、重複名刺情報として検出された名刺情報Ｌ１０１に上書き登録する（Ｓ１１０）。
【０１４５】
重複名刺確認画面で、「画像差替」と表示されたキーＫ２０３が実行された場合には、制御部５０は、ステップＳ１０１で撮像した図１１（ｂ）の名刺画像のデータを、重複名刺情報として検出された名刺情報Ｌ１０１の名刺画像データと差替えて登録する（Ｓ１１１）。
【０１４６】
重複名刺確認画面で、「スキップ」と表示されたキーＫ２０４が実行された場合には、制御部５０は、特に名刺情報の登録を行わずにスキップする（Ｓ１１２）。
【０１４７】
図１６は、重複名刺確認画面で実行されたキーに応じて更新される名刺情報データベース５７の内容について示した説明図である。
【０１４８】
図１６（ａ）は、上述のステップＳ１０９の処理により、名刺情報データベース５７に、登録内容確認画面で確認したフィールドＦ１０１〜Ｆ１０５の内容の名刺情報が追加登録された場合について示している。図１６（ａ）では、名刺情報データベース５７に、上述の図８の内容に加えて、上述の図１４の内容の名刺情報Ｌ１０６が追加登録されている。
【０１４９】
図１６（ｂ）は、上述のステップＳ１１１の処理により、重複名刺情報として検出された名刺情報Ｌ１０１の名刺画像データが、新たに撮像した名刺画像データ（図１１（ｂ）の名刺画像）と差替えられた場合の、名刺情報データベース５７の内容について示している。図１６（ｂ）では、名刺情報Ｌ１０１の名刺画像データの項目が、「名刺画像データＧ１６」（図１１（ｂ）の名刺の名刺画像データ）に更新されている。さらに、図１６（ｂ）では、名刺情報Ｌ１０１の登録日時が、名刺画像データを差し替えた時点を示す内容に変更されている。
【０１５０】
上述のステップＳ１１０の処理により、登録内容確認画面で確認したフィールドＦ１０１〜Ｆ１０５の内容が、重複名刺情報として検出された名刺情報Ｌ１０１に上書き登録されると、この例の場合は、名刺情報データベース５７の内容は結果として、上述の図１６（ｂ）と同じ内容となる。
【０１５１】
（Ａ−２−２）名刺情報検索処理
次に、名刺情報取込管理装置１において、ユーザに名刺情報データベース５７に格納された名刺情報から所望の名刺情報を検索させ、検出された名刺情報の名刺画像をディスプレイ２に表示させる「名刺情報検索処理」の動作について説明する。
【０１５２】
図１７は、名刺情報検索処理における制御部５０の処理について示したフローチャートである。
【０１５３】
制御部５０が名刺情報検索処理を開始させる契機は限定されないものであり、例えば、名刺情報取込管理装置１の起動時であっても良いし、ユーザのメニュー操作やキー操作等に応じて開始させるようにしても良い。
【０１５４】
制御部５０は、名刺情報検索処理を開始すると、まず、ユーザに会社名を選択させるための「会社名選択画面」を表示させる（Ｓ２０１）。
【０１５５】
図１８は、会社名選択画面の例について示した説明図である。
【０１５６】
図１８に示すように、会社名選択画面には、それぞれ「あ」〜「わ」、「英数」が表示されたタブＴ１０１〜Ｔ１１１が配置されている。制御部５０は、会社名選択画面で実行されるタブに応じて、名刺情報データベース５７に格納された名刺情報から会社名のリストを作成し、会社名のリストをタブの下欄に表示する。
【０１５７】
図１８に示す会社名選択画面の例では、初期状態で「あ」の文字が付されたタブＴ１０１が起動されており、タブＴ１０１の下欄には、読みが「あ行」ではじまる会社名が表示されたキーが配置されている。図１８の例では、タブＴ１０１の下欄に、会社名「井○企画」と表示されたキーＫ３０１と、会社名「小×商事」と表示されたキーＫ３０２とが配置されている。なお、会社名選択画面では、例えば、「か」が表示されたタブＴ１０２が実行された場合には、タブＴ１０２の下欄に、読みが「か行」ではじまる会社名のリストが表示されることになる。
【０１５８】
そして、会社名選択画面で、ユーザの操作により、いずれかの会社名のキーが実行されると（Ｓ２０２）、制御部５０は、名刺情報データベース５７から、実行されたキーに表示されている会社名の名刺情報を検索する（Ｓ２０３）。なお、ここでは、ステップＳ２０２において、会社名「井○企画」が表示されたキーＫ３０１が実行されたものとして、以降の説明を行う。
【０１５９】
次に、制御部５０は、検出した名刺情報の氏名のリストから、ユーザにいずれかの氏名を選択させる「氏名選択画面」を、ディスプレイ２に表示させる（Ｓ２０４）。
【０１６０】
図１９は、氏名選択画面の例について示した説明図である。
【０１６１】
図１９の例では、氏名選択画面に、氏名「佐藤  ○子」が表示されたキーＫ４０１、氏名「山田  ○郎」が表示されたキーＫ４０２、及び氏名「山本  ×子」が表示されたキーＫ４０３が配置されている。なお、図１９に示す氏名選択画面では、氏名をリスト表示する形式で表示しているが、各名刺情報の名刺画像を縮小表示するサムネイル形式で表示するようにしても良い。なお、氏名選択画面において、サムネイル形式で表示する際には、サムネイルに氏名を付して表示するようにしても良い。
【０１６２】
次に、氏名選択画面で、ユーザの操作により、いずれかの氏名のキーが実行されると（Ｓ２０５）、制御部５０は、名刺情報データベース５７から、実行されたキーに表示された氏名の名刺画像データを表示する「名刺画像表示画面」を、ディスプレイ２に表示させる（Ｓ２０６）。
【０１６３】
図２０は、名刺画像表示画面の例について示した説明図である。
【０１６４】
ここでは、ステップＳ２０５において、氏名「山田  ○郎」が表示されたキーＫ４０２が選択（フォーカス）されたものとする。そして、ステップＳ２０６では、図２０に示すように、ステップＳ２０５で選択された名刺情報の名刺画像が、ディスプレイ２に表示される。また、図２０の名刺画像表示画面では、名刺画像と共に、会社名「井○企画」及び氏名「山田  ○郎」も表示している。
【０１６５】
なお、図１７に示す名刺情報検索処理では、まず会社名をユーザに選択させて、表示する氏名のリストの絞込みを行っているが、最初から氏名のリストを表示して、ユーザに名刺情報を検索させるようにしても良い。また、名刺情報検索処理で、名刺情報データベース５７で名刺情報が分類されているフォルダ（例えば、上述の「活用名刺」、「倉庫名刺」、「枚フォルダ」等）の名称をユーザに選択させて、表示する氏名のリストの絞込みを行うようにしても良い。このように、名刺情報取込管理装置１の名刺情報検索処理では、ユーザに名刺情報の検索をさせる際の絞込みの方法は限定されないものである。
【０１６６】
（Ａ−３）第１の実施形態の効果
第１の実施形態によれば、以下のような効果を奏することができる。
【０１６７】
（Ａ−３−１）第１の実施形態によれば、名刺画像を取り込む対象の名刺を、その下辺に位置する長辺の一部を２つの壁面で挟み込んでセッティングするようにしたので、名刺を安定に立設することができる。このように安定に設定されている名刺に対し、左右方向に距離を置いて撮像カメラの指向性を向ければ良い。言い換えると、名刺を撮像するための構成要素は高さ方向には存在せず、名刺情報取込管理装置を薄型化することができる。
【０１６８】
また、第１の実施形態によれば、名刺を撮像カメラ部側に前傾して立設させ、その前傾状態において、撮像カメラ部の光軸が、標準的な名刺サイズの名刺の中心に直角に交わるようにしているので、撮像品質を高めることができる。すなわち、撮像された名刺画像の輪郭が台形になることはないのでそれを矩形に補正するようなことを不要にでき、また、仮に、名刺サイズが標準的な名刺サイズではなくて撮像された名刺画像の輪郭が台形になったとしても、矩形からの相違はごく僅かであり、画像処理による矩形への補正も少しの補正で済むことができる。
【０１６９】
ここで、装置の後側面の近傍に設けたストッパによって名刺の立設位置を一定にすることができ、精度の高い名刺撮像を行うことができる。
【０１７０】
名刺を立設させる２つの壁面のうち、一方の壁面が左右に移動し得る可動壁面であって他方の固定壁面との間隔を変化することができるので、種々の厚みの名刺を安定して立設することができ、また、名刺を取り付けた台紙をも安定して立設することができる。台紙を利用可能としたことにより、名刺サイズが標準的な名刺サイズからかなり異なっている名刺や、名刺の輪郭が矩形ではない名刺や、名刺の背景が透明になっている名刺などの変形名刺も、撮像対象とすることができるようになる。
【０１７１】
装置の後側面の近傍に設けたストッパは、固定壁面から突出している板状凸部と、その板状凸部に係合する可動壁面部に設けられた凹部とを備え、固定壁面と可動壁面部の可動壁面とが最大限離れたときでも、その隙間を渡るように板状凸部を設けているので、可動壁面の開き具合によらずに名刺の奥側位置を正しく規制することができる。
【０１７２】
（Ａ−３−２）第１の実施形態によれば、撮像カメラ部は突出状態と収容状態のいずれかをとることができ、撮像時に突出状態にすれば良い。これにより、名刺情報取込管理装置を小形、薄型化することができる。また、撮像カメラ部を収容状態にすれば、名刺情報取込管理装置を衣服のポケットに入れ、又は、カバンに入れて持ち運ぶのに都合が良い。
【０１７３】
名刺のセッティングは可動壁面部を移動させて２つの壁面に挟むことででき、撮像カメラ部の突出状態への変化はスライドレバーを１回操作することででき、撮像可能状態へのセッティングが非常に容易である。なお、名刺情報取込管理装置を使用しない状態に戻すには、名刺が立設されていればそれを上方に引き上げて抜取り（可動壁面の移動を伴っても良い）、撮像カメラ部が突出状態にあれば撮像カメラ部の上面に下方への力を加えて収容状態に変化させ、電源スイッチをオフ操作すれば良く（これらの３種類の操作順序は問わない）、戻す際の操作も容易になっている。
【０１７４】
（Ａ−３−３）第１の実施形態によれば、ディスプレイとして白色表示時の照度を変更できるものを適用し、登録用の撮像時にはディスプレイを照明手段として利用するようにしたので、逆光に対する画像処理を不要にでき、また、ストロボランプなどの暗い環境下に対応する構成要素を不要にできる。
【０１７５】
（Ａ−３−４）第１の実施形態によれば、撮像カメラ部の突出状態では名刺の撮像前であっても、撮像カメラ部及び名刺保持部間に設けられたディスプレイにその時点の名刺画像を表示するようにしたので、登録される名刺画像を精度良く推測しながら登録のための撮像を起動することができ、無駄な撮像を少なくすることができる。因みに、特許文献１に記載のようなディスプレイが下向きに傾いた状態では候補画像を表示しても見難い。また、特許文献２に記載のような撮像を行う箇所から離れているパソコン上に候補画像を表示しても、候補画像で発見した気に入らない事項に対する修正操作などを簡単に実行できない。例えば、候補画像を見て、室内光の方向を考慮して装置の向きを変える場合、実施形態の装置では、撮像カメラ部及び名刺保持部間にディスプレイが設けられているので容易にできるが、特許文献２の記載技術ではパソコンに表示された候補画像を見て撮像装置の固定装置の向きを調整し、その後、再びパソコンの画像を見、必要ならばこれら装置を繰り返すこととなり、操作は煩雑になってしまう。
【０１７６】
（Ａ−３−５）名刺情報データベース５７では、ユーザに名刺情報を検索させる最低限のキー情報（会社名及び氏名）以外で名刺に記載された情報は、名刺画像データにより記憶している。これにより、名刺情報取込管理装置１では、名刺画像から名刺情報を読み込んだ際、誤認識されているかユーザが判別しやすい情報のみでリスト管理しているため極めて正確なリスト管理が可能となる。また、これらの情報以外は文字変換せずに画像データのまま管理するため、誤認識されているか否かユーザが判別しにくい情報についても正確に把握することが可能となり、正確な名刺情報を登録することができる。
【０１７７】
一方、従来技術では、登録する情報は、全て名刺画像から文字認識した情報で構成されている。すなわち、従来技術では、データベースに記憶させる情報は、全て名刺画像から文字認識した情報で構成されているため、誤認識が発生しやすかった。名刺の電話番号等は小さい文字で記載されているため、誤認識が発生しやすいということもあった。また、電話番号やファクシミリ番号は数字の羅列であって意味がないため、ＵＲＬや電子メールアドレスはある程度は意味があるがアルファベットの羅列であるため、それぞれ誤認識が発生した場合にユーザが誤認識であることを認識することが困難であった。
【０１７８】
一方、氏名や組織名は、意味のある文字列であるため、誤認識が発生しているかユーザが容易に認識できる。
【０１７９】
名刺情報取込管理装置１では、以上の人間の特性に鑑み、ＯＣＲの誤認識をユーザが気づきやすい情報にのみ基づいて情報を整理し（リスト化し）、その他の情報についてはＯＣＲした情報ではなく撮像して作成した画像データによってユーザに提示することとしたため、極めて正確なリスト管理と極めて正確な情報提示を極めて簡易に実現している。
【０１８０】
（Ａ−３−６）名刺情報取込管理装置１では、上述の通り、新規に名刺情報を登録する際に、既に会社名及び氏名が重複する重複名刺情報が登録されている場合、重複名刺確認画面（図１５）により、ユーザに登録処理の内容を選択させている。これにより、例えば、ユーザが同じ人から過去に名刺をもらっていた場合には、新しくもらった名刺について、名刺画像データだけを差し替えて登録したり、登録を中止したりすること等を選択することができる。重複名刺確認画面（図１５）を用いない場合、新規にユーザが登録しようとする名刺を全て登録してしまうと、同じ人からもらった名刺の名刺情報が複数登録されてしまうことになる。同じ人からもらった名刺の名刺情報が複数登録されてしまい、さらに、名刺情報ごとに名刺に記載された連絡先等が異なっていると、ユーザはどの名刺情報が最新のものなのかを確認する必要がある。しかし、第１の実施形態の名刺情報取込管理装置１のように、重複名刺確認画面（図１５）を用いて、ユーザに確認させることにより、同じ人からもらった名刺の名刺情報が重複して登録されることを防ぐことができる。
【０１８１】
（Ａ−３−７）名刺情報取込管理装置１では、名刺情報の会社名については、組織の種類を示す部分については省略して登録している。これにより、例えば、「株式会社」が頭に付されている会社名について、すべて読みが「か」で始まることとなること等を回避し、ユーザの検索操作をしやすくしている。また、法人や組織等の種類を示す部分については省略して、ディスプレイ２に表示することにより、表示スペースを効率よく利用し、より多くの会社名を表示したりすること等の効果を奏する。
【０１８２】
（Ｂ）第２の実施形態
次に、本発明によるカード情報管理装置を、名刺情報取込管理装置に適用した第２の実施形態を、図面を参照しながら詳述する。
【０１８３】
（Ｂ−１）第２の実施形態の構成
図２１は、第２の実施形態の名刺情報取込管理装置１Ａの電気的構成について示したブロック図である。
【０１８４】
なお、第２の実施形態の名刺情報取込管理装置１Ａのハードウェア構成については、第１の実施形態と同様であるので詳しい説明は省略する。
【０１８５】
第２の実施形態の名刺情報取込管理装置１Ａでは、名刺情報データベース５７に格納されたデータの一部又は全部を有するバックアップデータを格納するバックアップデータ格納部５９が備えられている点で、第１の実施形態と異なる。なお、バックアップデータ格納部５９に格納されるバックアップデータの数は限定されないものである。
【０１８６】
バックアップデータ格納部５９（バックアップデータを記録する記録領域）は、名刺情報データベース５７と同じ記録媒体（マイクロＳＤカード）に設定されているものとする。なお、バックアップデータ格納部５９を設定する記録領域は、名刺情報データベース５７と別個の記録媒体であっても良い。
【０１８７】
また、名刺情報取込管理装置１Ａでは、プログラムメモリ５１に格納されるカードデータ管理プログラムに、バックアップデータの作成及び展開処理を行うプログラムが追加されている点で、第１の実施形態と異なっている。名刺情報取込管理装置１Ａのその他の構成は、第１の実施形態と同様であるので、詳しい説明を省略する。
【０１８８】
以下、第２の実施形態の名刺情報取込管理装置１Ａについて、第１の実施形態との差異を説明する。
【０１８９】
バックアップデータには、ユーザの操作に応じて、名刺情報データベース５７の名刺情報の一部又は全部が格納される。例えば、バックアップデータには、会社名単位、名刺情報単位等で、ユーザの操作により選択された名刺情報だけを格納するようにしても良い。
【０１９０】
また、それぞれのバックアップデータのデータ形式は限定されないものであるが、ここでは例として、バックアップデータは一つのファイルとして生成されるものとする。例えば、バックアップデータが記録されたマイクロＳＤカードの内容をパソコン等で閲覧すると、それぞれのバックアップデータが、一つのファイルとして表示されることになる。そして、パソコン上で、マイクロＳＤカードからバックアップデータを読み込んで保存したり、パソコン上で保存されているバックアップデータを、マイクロＳＤカードに書き込んだりすることができる。すなわち、複数の名刺情報取込管理装置１Ａ間で、マイクロＳＤカード等の記録媒体により、バックアップデータのやりとりをすることができる。
【０１９１】
また、名刺情報取込管理装置１Ａでは、ユーザの操作に応じて、名刺情報データベース５７に、バックアップデータの内容を展開することができる。名刺情報取込管理装置１Ａでは、例えば、名刺情報データベース５７の内容をバックアップデータの内容に全て変更したり、名刺情報データベース５７の内容と、バックアップデータの内容とを統合したりすることができる。
【０１９２】
（Ｂ−２）第２の実施形態の動作
次に、以上のような構成を有する第２の実施形態の名刺情報取込管理装置１の動作を説明する。
【０１９３】
（Ｂ−２−１）バックアップデータの作成
まず、名刺情報取込管理装置１Ａにおいて、ユーザの操作に応じてバックアップデータを新たに作成する処理について説明する。
【０１９４】
図２２は、名刺情報取込管理装置１Ａでバックアップデータを作成する際に、制御部５０が行う処理について示したフローチャートである。
【０１９５】
制御部５０がバックアップデータ作成を開始させる契機は限定されないものであり、例えば、ユーザのメニュー操作やキー操作等に応じて開始させるようにしても良い。
【０１９６】
制御部５０は、バックアップデータ作成処理を開始すると、まず、ユーザにバックアップデータ作成のモードを選択させる「バックアップモード選択画面」を、ディスプレイ２に表示させる（Ｓ３０１）。なお、ユーザにバックアップデータ作成のモードを選択させずに、予め設定されたモードを適用するようにしても良い。
【０１９７】
図２３は、バックアップモード選択画面の内容例について示した説明図である。
【０１９８】
図２３では、バックアップモード選択画面には、「全てのデータのバックアップ」と表示されたキーＫ５０１、「活用名刺のバックアップ」と表示されたキーＫ５０２、「倉庫名刺のバックアップ」と表示されたキーＫ５０３、「名刺を選択してバックアップ」と表示されたキーＫ５０４、及び「会社ごとにバックアップ」と表示されたキーＫ５０５とが配置されている。
【０１９９】
次に、制御部５０は、バックアップモード選択画面で、ユーザの操作により実行（選択）されたキーが判定され（Ｓ３０２）、実行されたキーに応じてバックアップデータを作成するモードを決定する。
【０２００】
バックアップモード選択画面で、ユーザの操作により、「全てのデータのバックアップ」と表示されたキーＫ５０１が実行された場合には、制御部５０は、名刺情報データベース５７の全ての名刺情報を格納したバックアップデータを新たに作成して、バックアップデータ格納部５９に格納し（Ｓ３０３）、バックアップデータ作成処理を終了する。
【０２０１】
一方、バックアップモード選択画面で、キーＫ５０２〜Ｋ５０５のいずれかが実行された場合には、制御部５０は、実行されたキーに応じた名刺情報を名刺情報データベース５７から抽出する（Ｓ３０４）。
【０２０２】
バックアップモード選択画面で、「活用名刺のバックアップ」と表示されたキーＫ５０２が、実行された場合には、制御部５０は、名刺情報データベース５７上で活用名刺として分類されている名刺情報を抽出する。
【０２０３】
バックアップモード選択画面で、「倉庫名刺のバックアップ」と表示されたキーＫ５０３が実行された場合には、制御部５０は、名刺情報データベース５７上で倉庫名刺として分類されている名刺情報を抽出する。
【０２０４】
バックアップモード選択画面で、「名刺を選択してバックアップ」と表示されたキーＫ５０４が実行された場合には、制御部５０は、まず、ユーザにバックアップデータに格納する名刺情報を選択させる画面をディスプレイ２に表示させる。そして、制御部５０は、ユーザの操作に応じて選択された名刺情報を名刺情報データベース５７から抽出する。ユーザに名刺情報を選択させる画面では、例えば、上述の名刺情報検索処理と同様に、名刺情報をリスト形式又はサムネイル形式で表示し、１又は複数の名刺情報をユーザに選択させるようにしても良い。
【０２０５】
バックアップモード選択画面で、「会社ごとにバックアップ」と表示されたキーＫ５０５が実行された場合には、制御部５０は、まず、ユーザにバックアップ対象となる会社名を選択させる画面をディスプレイ２に表示させる。そして、制御部５０は、ユーザの操作に応じて選択された会社名の名刺情報を名刺情報データベース５７から抽出する。ユーザに会社名を選択させる画面では、例えば、上述の名刺情報検索処理と同様に、会社名をリスト表示し、１又は複数の会社名をユーザに選択させるようにしても良い。なお、ユーザが任意に選択したリスト（マイリスト）ごとにバックアップできるようにしてもよい。
【０２０６】
上述のステップＳ３０４で名刺情報の抽出処理が終了すると、制御部５０は、抽出した名刺情報を格納したバックアップデータを新たに作成して、バックアップデータ格納部５９に格納し（Ｓ３０５）、バックアップデータ作成処理を終了する。
【０２０７】
（Ｂ−２−２）バックアップデータ展開処理
次に、名刺情報取込管理装置１Ａにおいて、ユーザの操作に応じて、バックアップデータ格納部５９に格納されたバックアップデータを、名刺情報データベース５７に展開する処理について説明する。
【０２０８】
図２４、図２５は、名刺情報取込管理装置１Ａで、バックアップデータを、名刺情報データベース５７に展開する際に、制御部５０が行う処理について示したフローチャートである。
【０２０９】
制御部５０がバックアップデータ展開処理を開始させる契機は限定されないものであり、例えば、ユーザのメニュー操作やキー操作等に応じて開始させるようにしても良い。
【０２１０】
なお、ここでは、名刺情報データベース５７の初期内容が、上述の図８の内容になっているものとして以降の説明を行う。
【０２１１】
制御部５０は、バックアップデータ展開処理を開始すると、まず、ユーザにバックアップデータ展開処理のモードを選択させる「展開モード選択画面」を、ディスプレイ２に表示させる（Ｓ４０１）。なお、ユーザにバックアップデータ展開処理のモードを選択させずに、予め設定されたモードを適用するようにしても良い。
【０２１２】
図２６は、展開モード選択画面の内容例について示した説明図である。
【０２１３】
図２６では、バックアップモード選択画面に、「データの書き換え」と表示されたキーＫ６０１、及び「名刺の追加」と表示されたキーＫ６０２とが配置されている。
【０２１４】
制御部５０では、展開モード選択画面で、ユーザの操作により実行（選択）されたキーが判定され、実行されたキーに応じて、バックアップデータ展開処理のモードが決定される。
【０２１５】
展開モード選択画面で、「データの書き換え」と表示されたキーＫ６０１が実行された場合には、制御部５０は、名刺情報データベース５７の内容を、全てバックアップデータの内容に書き換える「データ書換モード」で、バックアップデータ展開処理を行うことを決定する。
【０２１６】
一方、展開モード選択画面で、「名刺の追加」と表示されたキーＫ６０２が実行された場合には、制御部５０は、名刺情報データベース５７に、バックアップデータの名刺情報を統合する「名刺追加モード」で、バックアップデータ展開処理を行うことを決定する。
【０２１７】
そして、バックアップデータ展開処理のモードが決定すると、制御部５０は、展開するバックアップデータを、ユーザに選択させる画面を、ディスプレイ２に表示させる（Ｓ４０２）。バックアップデータをユーザに選択させる画面では、例えば、バックアップデータ格納部５９に格納されたバックアップデータのファイル名をリスト表示し、ユーザによりいずれかのファイル名を選択させるようにしても良い。
【０２１８】
図２７は、展開するバックアップデータに格納されている内容について示した説明図である。
【０２１９】
ここでは、ステップＳ４０２で選択されたバックアップデータには、図２７に示す名刺情報が登録されているものとして、以降の説明を行う。
【０２２０】
展開するバックアップデータが選択されると、制御部５０は、上述のステップＳ４０１で決定されたバックアップデータ展開処理のモードを確認する（Ｓ４０３）。
【０２２１】
ステップＳ４０３で、バックアップデータを展開するモードが「データ書換モード」であると確認された場合には、制御部５０は、名刺情報データベース５７の内容を、上述のステップＳ４０２で選択されたバックアップデータの内容に全て書き換えて（Ｓ４０４）バックアップデータ展開処理を終了する。
【０２２２】
一方、上述ステップＳ４０３で、バックアップデータを展開するモードが「名刺追加モード」であると確認された場合には、制御部５０は、名刺情報データベース５７の内容とバックアップデータの内容とを比較する。そして、制御部５０は、会社名及び氏名が重複するが、それ以外で不一致となる項目がある名刺情報（以下、「部分重複名刺情報」という）を検索する（Ｓ４０５）。
【０２２３】
部分重複名刺情報としては、例えば、会社名及び氏名は一致するが、名刺画像データのサイズや登録日時が不一致となる名刺情報等が挙げられる。ここでは、上述の通り、名刺情報データベース５７の内容は上述の図８のようになっており、展開するバックアップデータの内容は、上述の図２７のようになっている。この場合、名刺情報データベース５７の名刺情報Ｌ１０１と、バックアップデータの名刺情報Ｌ２０５とは、会社名及び氏名は一致するが、少なくとも登録日時は異なっている。よって、部分重複名刺情報としては、名刺情報データベース５７（図８）の名刺情報Ｌ１０１と、バックアップデータ（図２７）の名刺情報Ｌ２０５の組が検出される。
【０２２４】
上述のステップＳ４０５で、部分重複名刺情報が検出された場合には、制御部５０は、部分重複名刺情報に関する処理内容をユーザに選択させ、ユーザの選択に応じた処理を行う（Ｓ４０６）。なお、ステップＳ４０６の処理の詳細については後述する。
【０２２５】
上述のステップＳ４０５で、部分重複名刺情報が検出されなかった場合、又は上述のステップＳ４０６の処理が終了すると、制御部５０は、名刺情報データベース５７の内容とバックアップデータの内容とを比較する。そして、制御部５０は、バックアップデータの名刺情報のうち、名刺情報データベース５７に登録されている全ての名刺情報と、少なくとも会社名又は氏名が異なっている名刺情報（以下、「不一致名刺情報」という）を検索する（Ｓ４０７）。
【０２２６】
名刺情報データベース５７（図８）の名刺情報と、バックアップデータ（図２７）の名刺情報を比較すると、バックアップデータ（図２７）の名刺情報Ｌ２０６と、会社名及び氏名が一致する名刺情報は、名刺情報データベース５７（図８）には存在しない。よって、不一致名刺情報としては、バックアップデータ（図２７）の名刺情報Ｌ２０６が検出される。
【０２２７】
上述のステップＳ４０７で、不一致名刺情報が検出された場合には、制御部５０は、バックアップデータから検出された不一致名刺情報を、名刺情報データベース５７に追加して（Ｓ４０８）、バックアップデータ展開処理を終了する。一方、上述のステップＳ４０７で、不一致名刺情報が検出されなかった場合には、制御部５０は、そのままバックアップデータ展開処理を終了する。
【０２２８】
このように、制御部５０は、「名刺追加モード」バックアップデータ展開処理を行う場合、名刺情報データベース５７とバックアップデータとで、全ての項目が一致する名刺情報（以下、「完全一致名刺情報」という）については、何の処理も行わずスキップすることになる。
【０２２９】
次に、上述のステップＳ４０６で、制御部５０が、部分重複名刺情報に関する処理内容をユーザに選択させ、ユーザの選択に応じて行う処理について、図２５のフローチャートを用いて説明する。
【０２３０】
制御部５０は、まず、上述のステップＳ４０５で検出された部分重複名刺情報のうち一組の部分重複名刺情報を選択し、選択した一組の部分名刺情報に関する処理内容をユーザに選択させる「部分重複名刺確認画面」をディスプレイ２に表示させる（Ｓ５０１）。
【０２３１】
図２８は、「部分重複名刺確認画面」の例について示した説明図である。
【０２３２】
図２８に示す重複名刺確認画面では、名刺情報データベース５７側の部分重複名刺情報の名刺画像を表示するフィールドＦ３０１、バックアップデータ側の部分重複名刺情報の名刺画像を表示するフィールドＦ３０２、「上書き」と表示されたキーＫ７０１、「別で追加」と表示されたキーＫ７０２、「画像差替」と表示されたキーＫ７０３、「スキップ」と表示されたキーＫ７０４、及び「以降全て」と表示されたチェックボックスＣ１０１が配置されている。
【０２３３】
制御部５０は、部分重複名刺確認画面で、ユーザの操作により実行（選択）されたキーを判定する（Ｓ５０２）。そして、制御部５０は、部分重複名刺確認画面で実行されたキーに応じて、重複名刺情報に関する処理内容を決定し、後述するステップＳ５０３〜Ｓ５０６のいずれかの処理を行う
部分重複名刺確認画面で、「別で追加」と表示されたキーＫ７０２が実行された場合には、制御部５０は、バックアップデータ側の部分重複名刺情報（フィールドＦ３０２で表示された名刺画像の名刺情報）を、名刺情報データベース５７に追加登録（Ｓ５０３）して、次のステップ（後述するステップＳ５０７）に進む。
【０２３４】
部分重複名刺確認画面で、「上書き」と表示されたキーＫ７０１が実行された場合には、制御部５０は、バックアップデータ側の部分重複名刺情報を、名刺情報データベース５７側の部分重複名刺情報に上書き登録して（Ｓ５０４）、次のステップ（後述するステップＳ５０７）に進む。
【０２３５】
部分重複名刺確認画面で、「画像差替」と表示されたキーＫ７０３が実行された場合には、制御部５０は、名刺情報データベース５７側の部分重複名刺情報の名刺画像データを、バックアップデータ側の部分重複名刺情報の名刺画像データに差し替えて登録し（Ｓ５０５）、次のステップ（後述するステップＳ５０７）に進む。
【０２３６】
部分重複名刺確認画面で、「スキップ」と表示されたキーＫ７０４が実行された場合には、制御部５０は、上述のステップＳ５０１で選択した一組の部分重複名刺情報について、処理をスキップし（Ｓ５０６）、次のステップ（後述するステップＳ５０７）に進む。
【０２３７】
上述のステップＳ５０３〜Ｓ５０６のいずれかの処理が完了すると、制御部５０は、上述のステップＳ４０５で検出された部分重複名刺情報のうち、まだ部分重複名刺確認画面により未処理の部分重複名刺情報の有無を判定する（Ｓ５０７）。
【０２３８】
ステップＳ５０７で、未処理の部分重複名刺情報があると判定された場合には、制御部５０は、上述のステップＳ５０１に戻り、未処理の部分重複名刺情報について同様の処理を行う。一方、ステップＳ５０７で、未処理の部分重複名刺情報がない（すなわち、全て処理済み）と判定された場合には、制御部５０は、上述のステップＳ４０６の処理を完了し、次のステップＳ４０７の処理に移行する。
【０２３９】
なお、上述のステップＳ５０１の部分重複名刺確認画面で、「以降全て」と表示されたチェックボックスＣ１０１が実行され、チェックが入れられた後に、キーＫ７０１〜Ｋ７０４のいずれかのキーが実行された場合には、以降に選択される予定の重複名刺情報について全て同じ処理を行うものとする。すなわち、この場合、以降に選択される予定の重複名刺情報について、部分重複名刺確認画面をユーザに提示することなく、同様の処理を行い、上述のステップＳ４０６の処理を完了することになる。
【０２４０】
図２９は、部分重複名刺確認画面で実行されたキーに応じて更新される名刺情報データベース５７の内容の例について示した説明図である。
【０２４１】
図２９では、部分重複名刺情報として、名刺情報データベース５７側（図８）の名刺情報Ｌ１０１と、バックアップデータ側（図２７）の名刺情報Ｌ２０６の組が検出された場合の名刺情報データベース５７の更新内容について示している。
【０２４２】
図２９（ａ）は、上述のステップＳ５０３の処理により、名刺情報データベース５７に、バックアップデータ側の部分重複名刺情報が追加登録された場合について示している。図２９（ａ）では、名刺情報データベース５７（図８）に、バックアップデータ側（図２７）の名刺情報Ｌ２０６が追加登録されている。
【０２４３】
図２９（ｂ）は、上述のステップＳ５０４の処理により、名刺情報データベース５７側（図８）の名刺情報Ｌ１０１の名刺画像データが、バックアップデータ側（図２７）の名刺情報Ｌ２０６の名刺画像データと差替えられた場合の、名刺情報データベース５７の内容について示している。図２９（ｂ）では、名刺情報Ｌ１０１の名刺画像データの項目が、「名刺画像データＧ１６」（名刺情報Ｌ２０６の名刺画像データ）に変更されている。さらに、図２９（ｂ）では、名刺情報Ｌ１０１の登録日時が、名刺情報Ｌ２０６の名刺画像データと同じ日時に変更されている。
【０２４４】
上述のステップＳ５０５の処理により、バックアップデータ側（図２７）の名刺情報Ｌ２０６の内容が、名刺情報データベース５７側（図８）の名刺情報Ｌ１０１に上書き登録されると、名刺情報データベース５７の内容は、結果として上述の図２９（ｂ）と同じ内容となる。
【０２４５】
（Ｂ−３）第２の実施形態の効果
第２の実施形態によれば、以下のような効果を奏することができる。
【０２４６】
（Ｂ−３−１）名刺情報取込管理装置１Ａでは、名刺追加モードでバックアップデータ展開処理を行う際に、部分重複名刺情報について、ユーザに部分重複名刺確認画面（図２８）を提示して、処理内容を選択させている。これにより、名刺情報取込管理装置１Ａでは、名刺追加モードでバックアップデータ展開処理を行う際に、名刺情報データベース５７上に、同じ人の名刺に基づく名刺情報が、重複して登録されることを回避し、ユーザの利便性を向上させることができる。
【０２４７】
（Ｂ−３−２）名刺情報取込管理装置１Ａでは、名刺追加モードでバックアップデータ展開処理を行う際に、会社名又は氏名が異なる不一致名刺については、ユーザに確認せずにそのまま名刺情報データベース５７に登録している。また、名刺情報取込管理装置１Ａでは、会社名及び氏名だけでなく、その他の項目のデータも一致する完全一致名刺情報についてはスキップしている。これにより、名刺情報取込管理装置１Ａでは、部分重複名刺情報以外の名刺情報については、ユーザへの確認を求めないので、ユーザの負担を軽減することができる。例えば、あるユーザが、別のユーザにより別装置で作成されたバックアップデータをもらい、名刺追加モードでバックアップデータ展開処理を行う場合に、まだ自分が登録していない人の名刺だけを少ない操作で追加登録することができる。
【０２４８】
（Ｃ）他の実施形態
本発明は、上記の各実施形態に限定されるものではなく、以下に例示するような変形実施形態も挙げることができる。
【０２４９】
（Ｃ−１）上記の各実施形態では、撮像カメラ部が回動することで突出状態と収容状態の２状態間で変化できるものを示したが、スライドによって、突出状態と収容状態の２状態間で変化できるようにしても良い。
【０２５０】
また、上記の各実施形態では、全体が１枚の平板状で構成されている名刺情報取込管理装置を示したが、撮像カメラ部及び名刺保持部が上記の各実施形態と同様な技術思想に従っているものであれば、全体構成はこれに限定されるものではない。例えば、携帯電話や電子手帳などで採用されているような２つ折り構成を適用しても良い。この場合に、各種のキーが配置されている下蓋側に撮像カメラ部及び名刺保持部を設けるようにすれば良い。
【０２５１】
さらに、上記の各実施形態では、名刺情報の管理機能（ＯＣＲ機能、登録機能、検索機能）をも備えた装置を示したが、名刺画像の撮像機能（取込機能）だけを備えた装置に、本発明を適用することができる。このような場合には、名刺情報の管理機能（ＯＣＲ機能、登録機能、検索機能）を、ケーブル接続された、若しくは、インターネットなどのネットワークを介して接続された外部のパソコンやサーバなどが備えていれば良い。
【０２５２】
上記の各実施形態では、横書き名刺も縦書き名刺も横置きで立設させるものを示したが、横書き名刺を横置きで立設させ、縦書き名刺を縦置きで立設させるようにして撮像させるようにしても良い。例えば、このような場合、横書き名刺と縦書き名刺とで撮像カメラ部の突出量を変化させると共に、奥側の辺の位置を規制するストッパとして前後方向に移動でき、横書き名刺用の位置と縦書き名刺用の位置とを取り得るものを適用するようにすれば良い。
【０２５３】
また、上記の各実施形態では、ディスプレイは表示機能しかない備えないものであったが、タッチパネル機能を備えたディスプレイを適用して、表示と入力を行うようにしても良い。
【０２５４】
上記の各実施形態では、カードが名刺の場合を示したが、他の種類のカード用の装置に対して本発明を適用することができる。例えば、葉書きやレシピ用カードや学習カード（例えば単語帳カード）などのカード情報取込装置に本発明を適用することができる。また、カードではないが、定形の封筒、出金伝票などの表面、裏面情報を取り込むような場合にも本発明を適用することができる（特許請求の範囲の「カード」の用語は、このような表面若しくは裏面の情報に意味があるカードと同様に取り扱うことができる封筒などを含むものとする）。
【０２５５】
（Ｃ−２）上記の各実施形態では、名刺情報取込管理装置で、名刺を一枚撮像するごとに、その名刺画像から会社名及び氏名を認識して登録処理をしているが（図１０参照）、撮像だけを複数枚の名刺に繰り返した後（但し、上限枚数は設定されている）、各名刺画像に対するＯＣＲ及び名刺情報の格納を繰り返し実行する、連続撮像による登録を行うようにしても良い。例えば、上述の図１０のフローチャートで、ステップＳ１０１の名刺の撮像する処理を、連続で複数回実行し、その後、撮像した名刺の画像データについて一枚ずつ、ステップＳ１０２〜Ｓ１１２の処理を行うようにしても良い。
【０２５６】
これにより、ユーザは、一度に大量の名刺を登録する場合に、名刺の撮像と登録処理の操作を交互に行わずに、連続して同じ操作を行うことができるため、利便性が向上する。
【０２５７】
（Ｃ−３）上記の各実施形態では、本発明のカード情報管理装置を、名刺に記載された情報等をカメラ等により取り込む名刺情報取込管理装置に適用した例について説明したが、名刺に記載された情報を取り込む構成（撮像カメラ等）を省略するようにしても良い。すなわち、本発明のカード情報管理装置を、名刺情報データベースに格納された名刺情報を閲覧するだけの装置として構築するようにしても良い。
【０２５８】
（Ｃ−４）上記の各実施形態では、名刺情報データベースに、キー情報として、「会社名」及び「氏名」の項目の情報を必ず入力するようにしているが、いずれか一方の項目を、名刺情報データベースから省略するようにしても良い。この場合、ユーザには、「会社名」又は「氏名」のいずれかの項目だけをキー情報（手がかり）として、名刺情報を選択させることになる。
【０２５９】
（Ｃ−５）第２の実施形態では、バックアップデータの展開処理において、部分重複名刺情報が検出された場合には、重複名刺情報に関する処理内容をユーザに選択させているが、ユーザに選択させずに、全て予め設定された同じ処理を行うようにしても良い。例えば、名刺情報取込管理装置で、部分重複名刺情報については、データベースへの登録を行わずにスキップしたり、別個の名刺情報として登録するようにしても良い。
【０２６０】
（Ｃ−６）上記の各実施形態では、本発明のカード情報管理装置を、名刺に基づく情報を管理する名刺情報取込管理装置に適用した例について説明したが、本発明のカード情報管理装置が管理する情報は、名刺以外で人物の情報が記載されたカードに基づく情報であっても良い。名刺以外で人物の情報が記載されたカードとしては、例えば、葉書や封筒等の郵便物や、人物の情報が記載されたメモカード等が挙げられる。
【０２６１】
（Ｃ−７）上記の各実施形態では、本発明のカード情報管理装置（名刺情報取込管理装置）は、図１、図２に示すハードウェアに、カード情報管理プログラム（名刺情報取込管理）を、インストールすることにより構築されているが、本発明のカード情報管理装置の構築に用いるハードウェアは上述のものに限定されない。すなわち、上述の図６に相当する電気的構成（機能的構成）を備える他の情報処理装置（例えば、パソコン、携帯電話端末等）に、カード情報管理プログラムをインストールして、本発明のカード情報管理装置を構築するようにしても良い。
【０２６２】
（Ｃ−８）上記の各実施形態では、名刺情報の名刺画像データ等当該名刺情報に係る人物の詳細情報を出力する手段（撮像データ提示手段）として、ディスプレイに表示出力する構成（上述の図２０参照）について説明したが、その他にも、ディスク装置等の記憶装置に記憶させたり、プリンタ等の印刷装置に印刷出力させたりする構成としてもよく、出力方法は限定されないものである。
【０２６３】
（Ｃ−９）第１の実施形態では、名刺情報取込管理装置１は、ユーザに選択されたいずれかの名刺情報の名刺画像をディスプレイ２に表示出力する例（上述の図２０参照）について説明したが、ユーザに複数の名刺情報を選択させて、複数の名刺情報のデータ（名刺画像データ等）の一覧を出力（出力方法は限定されない）するようにしても良い。例えば、上述の図１８の画面等を用いて、ユーザにいずれかの会社名を選択させ、選択された会社名の名刺情報（すなわち、選択された会社名の会社に所属する被管理人の名刺情報）のデータ（名刺画像データ等）の一覧を出力するようにしても良い。
【０２６４】
また、選択された複数の名刺情報のデータを一覧出力する際には、名刺画像等をあいうえお順に出力するようにしても良い。これによりユーザは、なお、一覧出力の形式は公知の各種の表示方法を採用することができ、例えば、一画面（又は、一枚の書類）に対象となる名刺情報のデータを全て出力するようにしても良いし、一画面（又は、一枚の書類）に１又は複数のデータを順次出力していくようにしても良い。
【０２６５】
さらに、選択された複数の名刺情報のデータを、ディスプレイに一覧表示した場合に、一覧からユーザの操作により選択（例えば、操作キーやタッチパネルの操作により選択）された任意のデータについて詳細表示（拡大表示）するようにしても良い。例えば、タッチパネルディスプレイに、選択された複数の名刺情報のデータを一覧表示した場合に、ユーザのタッチパネル操作により選択された名刺情報のデータ（名刺画像データ等）を拡大表示するようにしても良い。また、タッチパネルに対応していないディスプレイに、選択された複数の名刺情報のデータを一覧表示した場合には、操作キー（十字キー等）によってデータ選択コマンドを移動させてユーザに選択されたデータがあった場合に当該データを拡大表示するようにしても良い。
【符号の説明】
【０２６６】
１…名刺情報取込管理装置、２…ディスプレイ、３…キー操作部、４…撮像カメラ部、５…名刺保持部、３０…撮像カメラ、４１…固定壁面、４２…可動壁面部材、４２ａ…可動壁面、４３…ストッパ、４３ａ…板状凸部、４３ｂ…凹部、５０…制御部、５１…プログラムメモリ、５２…ワークメモリ、５３…入出力インタフェース、５４…ディスプレイドライバ、５５…カメラドライバ、５７…名刺情報データベース、５８…各種センサ。
【図１】
2012008733.tif 000003
【図２】
2012008733.tif 000004
【図３】
2012008733.tif 000005
【図４】
2012008733.tif 000006
【図５】
2012008733.tif 000007
【図６】
2012008733.tif 000008
【図７】
2012008733.tif 000009
【図８】
2012008733.tif 000010
【図９】
2012008733.tif 000011
【図１０】
2012008733.tif 000012
【図１１】
2012008733.tif 000013
【図１２】
2012008733.tif 000014
【図１３】
2012008733.tif 000015
【図１４】
2012008733.tif 000016
【図１５】
2012008733.tif 000017
【図１６】
2012008733.tif 000018
【図１７】
2012008733.tif 000019
【図１８】
2012008733.tif 000020
【図１９】
2012008733.tif 000021
【図２０】
2012008733.tif 000022
【図２１】
2012008733.tif 000023
【図２２】
2012008733.tif 000024
【図２３】
2012008733.tif 000025
【図２４】
2012008733.tif 000026
【図２５】
2012008733.tif 000027
【図２６】
2012008733.tif 000028
【図２７】
2012008733.tif 000029
【図２８】
2012008733.tif 000030
【図２９】
2012008733.tif 000031